(57)【特許請求の範囲】
【請求項１】
無線通信システムにおいてユーザー機器（ＵＥ）でのサウンディング参照信号（ＳＲＳ）伝送のためのアップリンク伝送電力を制御する方法であって、該方法は、
周期的ＳＲＳ伝送のための第１の電力オフセット値と、非周期的ＳＲＳ伝送のための第２の電力オフセット値とを受信することと、
非周期的ＳＲＳ構成の各々に関する情報を受信することであって、該非周期的ＳＲＳ構成の各々に関する情報は、該非周期的ＳＲＳ構成の各々のための開始物理リソースブロック割当を含む、ことと、
指示子を含むダウンリンク制御情報（ＤＣＩ）フォーマットを受信することであって、該指示子は、該非周期的ＳＲＳ伝送をトリガリングする、ことと、
該非周期的ＳＲＳ伝送がトリガリングされる場合、該第２の電力オフセット値を用いて該非周期的ＳＲＳ伝送のためのアップリンク伝送電力を決定することと、
該指示子に従って、該非周期的ＳＲＳ伝送に対応する開始物理リソースブロック割当と、該非周期的ＳＲＳ伝送のための該決定されたアップリンク伝送電力とに基づいて、非周期的ＳＲＳを伝送することと
を含む、方法。
【請求項２】
前記非周期的ＳＲＳ伝送のための前記アップリンク伝送電力は、サブフレーム単位によって決定される、請求項１に記載の方法。
【請求項３】
前記第１の電力オフセット値と前記第２の電力オフセット値とは、半−固定的に構成される、請求項１に記載の方法。
【請求項４】
前記第１の電力オフセット値と前記第２の電力オフセット値とは、上位層シグナリングを通じて受信される、請求項１に記載の方法。
【請求項５】
前記第１の電力オフセット値と前記第２の電力オフセット値とは、互いに異なる、請求項１に記載の方法。
【請求項６】
無線通信システムにおいてサウンディング参照信号（ＳＲＳ）伝送のためのアップリンク伝送電力を制御するユーザー機器（ＵＥ）であって、該ＵＥは、
受信器であって、
周期的ＳＲＳ伝送のための第１の電力オフセット値と、非周期的ＳＲＳ伝送のための第２の電力オフセット値とを受信することと、
非周期的ＳＲＳ構成の各々に関する情報を受信することであって、該非周期的ＳＲＳ構成の各々に関する情報は、該非周期的ＳＲＳ構成の各々のための開始物理リソースブロック割当を含む、ことと、
指示子を含むダウンリンク制御情報（ＤＣＩ）フォーマットを受信することであって、該指示子は、該非周期的ＳＲＳ伝送をトリガリングする、ことと
を行うように構成された受信器と、
該非周期的ＳＲＳ伝送がトリガリングされる場合、該第２の電力オフセット値を用いて該非周期的ＳＲＳ伝送のためのアップリンク伝送電力を決定するように構成されたプロセッサと、
該指示子に従って、該非周期的ＳＲＳ伝送に対応する開始物理リソースブロック割当と、該非周期的ＳＲＳ伝送のための該決定されたアップリンク伝送電力とに基づいて、非周期的ＳＲＳを伝送するように構成された送信器と
を含む、ＵＥ。
【請求項７】
前記プロセッサは、サブフレーム単位によって、前記非周期的ＳＲＳ伝送のための前記アップリンク伝送電力を決定する、請求項６に記載のＵＥ。
【請求項８】
前記第１の電力オフセット値と前記第２の電力オフセット値とは、半−固定的に構成される、請求項６に記載のＵＥ。
【請求項９】
前記第１の電力オフセット値と前記第２の電力オフセット値とは、上位層シグナリングを通じて受信される、請求項６に記載のＵＥ。
【請求項１０】
前記第１の電力オフセット値と前記第２の電力オフセット値とは、互いに異なる、請求項６に記載のＵＥ。
【発明の詳細な説明】
【技術分野】
【０００１】
本発明は、無線通信システムに係り、特に、端末の非周期的（ａｐｅｒｉｏｄｉｃ）サウンディング参照信号（Ｓｏｕｎｄｉｎｇ  Ｒｅｆｅｒｅｎｃｅ  Ｓｉｇｎａｌ、ＳＲＳ）トリガリングベースのＳＲＳ伝送方法及び非周期的ＳＲＳを伝送するためのアップリンク伝送電力制御方法に関する。
【背景技術】
【０００２】
無線通信技術は、広帯域コード分割多重接続（Ｗｉｄｅｂａｎｄ  Ｃｏｄｅ  ｄｉｖｉｓｉｏｎＭｕｌｔｉｐｌｅ  Ａｃｃｅｓｓ、ＷＣＤＭＡ）に基づいてＬＴＥまで開発されてきたが、ユーザー及び事業者の要求と期待は増加一路にある。また、他の無線接続技術の開発も相次いでいるため、将来、競争力を有するためには新しい技術進化が要求される。ビット当たりのコストの低減、サービス可用性の増大、融通性ある周波数バンドの使用、単純構造と開放型インターフェース、端末の適切なパワー消耗などが要求される。
【０００３】
近年、３ＧＰＰは、ＬＴＥの後続技術に対する標準化作業を進行している。本明細書では、この技術を「ＬＴＥ−Ａ」と称する。ＬＴＥシステムとＬＴＥ−Ａシステムとの主な相違点の一つは、システム帯域幅の相違と中継機導入の有無である。ＬＴＥ−Ａシステムは、最大１００ＭＨｚの広帯域を支援することを目標にしており、そのために、複数の周波数ブロックを用いて広帯域を達成するキャリアアグリゲーション（ｃａｒｒｉｅｒ  ａｇｇｒｅｇａｔｉｏｎ）または帯域幅アグリゲーション（ｂａｎｄｗｉｄｔｈ  ａｇｇｒｅｇａｔｉｏｎ）技術を用いるようにしている。キャリアアグリゲーションは、より広い周波数帯域を用いるために、複数の周波数ブロックを一つの大きな論理周波数帯域として用いるようにする。各周波数ブロックの帯域幅は、ＬＴＥシステムで用いられるシステムブロックの帯域幅に基づいて定義できる。それぞれの周波数ブロックは、コンポーネント搬送波を用いて伝送される。
【０００４】
３ＧＰＰ  ＬＴＥ−Ａシステムでは、アップリンクチャネル推定の正確性を保障するために、既存の周期的ＳＲＳ伝送の他、非周期的なＳＲＳ伝送も支援する。このような非周期的ＳＲＳ伝送を支援するためには、非周期的ＳＲＳ構成情報と非周期的ＳＲＳ伝送のためのアップリンク伝送電力制御が必要である。しかし、非周期的ＳＲＳ伝送を支援するための具体的な非周期的ＳＲＳ構成情報と非周期的なＳＲＳ伝送のためのアップリンク伝送電力を制御する方法は、未だ具体的に提案されていない現状である。
【発明の概要】
【発明が解決しようとする課題】
【０００５】
本発明で達成しようとする技術的課題は、端末が非周期的（ａｐｅｒｉｏｄｉｃ）サウンディング参照信号（Ｓｏｕｎｄｉｎｇ  Ｒｅｆｅｒｅｎｃｅ  Ｓｉｇｎａｌ、ＳＲＳ）トリガリングに基づいてＳＲＳを伝送する方法を提供することにある。
【０００６】
本発明で達成しようとする他の技術的課題は、端末が、非周期的ＳＲＳを伝送するためのアップリンク伝送電力を制御する方法を提供することにある。
【０００７】
本発明で達成しようとするさらに他の技術的課題は、非周期的（ａｐｅｒｉｏｄｉｃ）サウンディング参照信号（Ｓｏｕｎｄｉｎｇ  Ｒｅｆｅｒｅｎｃｅ  Ｓｉｇｎａｌ、ＳＲＳ）トリガリングに基づいて非周期的ＳＲＳを伝送する端末装置を提供することにある。
【０００８】
本発明で達成しようとするさらに他の技術的課題は、非周期的ＳＲＳを伝送するためのアップリンク伝送電力を制御する端末装置を提供することにある。
【０００９】
本発明で達成しようとする技術的課題は、以上に言及している技術的課題に制限されるものではなく、言及していない別の技術的課題は、下の記載から、本発明の属する技術の分野における通常の知識を有する者には明確に理解されるであろう。
【課題を解決するための手段】
【００１０】
上記の技術的課題を達成するための、本発明に係る端末が非周期的（ａｐｅｒｉｏｄｉｃ）サウンディング参照信号（Ｓｏｕｎｄｉｎｇ  Ｒｅｆｅｒｅｎｃｅ  Ｓｉｇｎａｌ、ＳＲＳ）トリガリングに基づいてＳＲＳを伝送する方法は、基地局から、複数の非周期的ＳＲＳ構成（ｃｏｎｆｉｇｕｒａｔｉｏｎ）情報を受信すること、前記基地局から非周期的ＳＲＳ伝送をトリガリング（ｔｒｉｇｇｅｒｉｎｇ）する指示子を受信すること、前記非周期的ＳＲＳ伝送トリガリング指示子を受信したサブフレームインデックス、前記非周期的ＳＲＳ伝送トリガリング指示子の受信サブフレームと対応する非周期的ＳＲＳ伝送サブフレーム間の時間関係、及びアップリンクチャネル状態の少なくとも一つに基づいて、前記複数の非周期的ＳＲＳ構成情報から特定の非周期的ＳＲＳ構成情報を選択すること、及び、前記選択された非周期的ＳＲＳ構成情報に基づいて前記非周期的ＳＲＳ伝送トリガリング指示子に対する非周期的ＳＲＳを伝送すること、を含み、前記複数の非周期的ＳＲＳ構成情報は、前記非周期的ＳＲＳ伝送トリガリング指示子に対応して非周期的ＳＲＳを伝送するリソースに関する情報を含むことができる。ここで、非周期的ＳＲＳの伝送は、前記非周期的ＳＲＳ伝送トリガリング指示子を受信したサブフレームがサブフレームｎであれば、サブフレームｎ以降の事前に構成された周期的ＳＲＳ伝送サブフレームのうち最も早いサブフレームである第１の非周期的ＳＲＳ伝送サブフレーム、または、サブフレームｎ＋３以降の前記事前に構成された周期的ＳＲＳ伝送サブフレームのうち最も早いサブフレームである第２の非周期的ＳＲＳ伝送サブフレームを通じて行うことができる。
【００１１】
前記非周期的ＳＲＳ伝送トリガリング指示子を受信したサブフレームインデックスｎが偶数であれば、前記非周期的ＳＲＳを伝送する段階で、前記第１の非周期的ＳＲＳサブフレームまたは前記第２の非周期的ＳＲＳサブフレームの周波数軸上の部分帯域（ｐａｒｔｉａｌ−ｂａｎｄ）を通じて前記非周期的ＳＲＳを伝送することができる。ここで、前記非周期的ＳＲＳ伝送トリガリング指示子に対応する前記非周期的ＳＲＳを伝送する時に伝送電力が十分でなければ、前記部分−帯域内の事前に定義されたフォールバック（ｆａｌｌｂａｃｋ）非周期的ＳＲＳリソースを通じて前記非周期的ＳＲＳを伝送することができる。
【００１２】
または、前記非周期的ＳＲＳ伝送トリガリング指示子を受信したサブフレームインデックスｎが奇数であれば、前記非周期的ＳＲＳを伝送する段階で、前記第１の非周期的ＳＲＳサブフレームまたは前記第２の非周期的ＳＲＳサブフレームの周波数軸上の全体帯域（ｆｕｌｌ−ｂａｎｄ）を通じて前記非周期的ＳＲＳを伝送することができる。ここで、前記非周期的ＳＲＳ伝送トリガリング指示子に対応する前記非周期的ＳＲＳを伝送する時に伝送電力が十分でなければ、前記全体−帯域内の事前に定義されたフォールバック（ｆａｌｌｂａｃｋ）非周期的ＳＲＳリソースを通じて前記非周期的ＳＲＳを伝送することができる。
【００１３】
または、前記非周期的ＳＲＳ伝送トリガリング指示子を受信したサブフレームであるサブフレームｎと前記端末に割り当てられた一つ以上の周期的ＳＲＳ伝送サブフレームとの時間関係が、４個のサブフレームに該当する時間差であれば、前記複数の非周期的ＳＲＳ構成から第１の非周期的ＳＲＳ構成を選択し、前記第１の非周期的ＳＲＳ構成に従って前記非周期的ＳＲＳを前記第１の非周期的ＳＲＳサブフレームを通じて伝送することができる。ここで、前記非周期的ＳＲＳを、前記第１の非周期的ＳＲＳサブフレームの周波数軸上の全体−帯域を通じて伝送することができる。
【００１４】
または、前記非周期的ＳＲＳ伝送トリガリング指示子を受信したサブフレームであるサブフレームｎと前記端末に割り当てられた一つ以上の周期的ＳＲＳ伝送サブフレームとの時間関係が、４個のサブフレームに該当する時間差でなければ、前記複数の非周期的ＳＲＳ構成から第２の非周期的ＳＲＳ構成を選択し、前記第２の非周期的ＳＲＳ構成に従って前記非周期的ＳＲＳを前記第２の非周期的ＳＲＳサブフレームを通じて伝送することができる。ここで、前記非周期的ＳＲＳを、前記第２の非周期的ＳＲＳサブフレームの周波数軸上の部分−帯域を通じて伝送することができる。
【００１５】
または、前記アップリンクチャネル状態が事前に定義したチャネル状態よりも良好でない場合に、前記複数の非周期的ＳＲＳ構成から第２の非周期的ＳＲＳ構成を選択し、前記第２の非周期的ＳＲＳ構成に従って前記第１の非周期的ＳＲＳサブフレームまたは前記第２の非周期的ＳＲＳサブフレームの周波数軸上の部分帯域（ｐａｒｔｉａｌ−ｂａｎｄ）を通じて前記非周期的ＳＲＳを伝送することができる。
【００１６】
または、アップリンクチャネル状態が事前に定義したチャネル状態よりも良好な場合に、前記複数の非周期的ＳＲＳ構成から第１の非周期的ＳＲＳ構成を選択し、前記第１の非周期的ＳＲＳ構成に従って前記第１の非周期的ＳＲＳサブフレームまたは前記第２の非周期的ＳＲＳサブフレームの周波数軸上の全体帯域（ｆｕｌｌ−ｂａｎｄ）を通じて前記非周期的ＳＲＳを伝送することができる。
【００１７】
上記の他の技術的課題を達成するための、本発明の一実施の形態に係る、端末が非周期的（ａｐｅｒｉｏｄｉｃ）サウンディング参照信号（Ｓｏｕｎｄｉｎｇ  Ｒｅｆｅｒｅｎｃｅ  Ｓｉｇｎａｌ、ＳＲＳ）伝送のためのアップリンク伝送電力を制御する方法は、基地局から、前記非周期的ＳＲＳ伝送のための電力オフセット値を受信すること、前記非周期的ＳＲＳ伝送のための電力オフセット値を用いて前記非周期的ＳＲＳ伝送電力値を決定すること、前記決定された非周期的ＳＲＳ伝送電力値で非周期的ＳＲＳを伝送すること、を含むことができる。前記非周期的ＳＲＳ伝送のみのための電力オフセット値は、上位層シグナリングを通じて受信される値であって、端末別に特定した値でよい。また、前記方法は、前記基地局から前記非周期的ＳＲＳ伝送をトリガリングする指示子を受信することをさらに含むことができ、前記非周期的ＳＲＳ伝送トリガリング指示子によって前記非周期的ＳＲＳ伝送が行われるとよい。また、前記非周期的ＳＲＳ伝送電力値の決定は、サブフレーム単位で決定されるとよい。
【００１８】
上記の他の技術的課題を達成するための、本発明の他の一実施の形態に係る無線通信システムにおいて端末が非周期的（ａｐｅｒｉｏｄｉｃ）サウンディング参照信号（Ｓｏｕｎｄｉｎｇ  Ｒｅｆｅｒｅｎｃｅ  Ｓｉｇｎａｌ、ＳＲＳ）伝送のためのアップリンク伝送電力を制御する方法は、基地局から、周期的ＳＲＳ伝送のための電力オフセット値と非周期的ＳＲＳ伝送のための電力オフセット値を受信すること、前記基地局から、非周期的ＳＲＳ伝送をトリガリングする指示子を受信すること、及び、前記非周期的ＳＲＳ伝送トリガリング指示子によって前記非周期的ＳＲＳ伝送のための電力オフセット値を用いて前記非周期的ＳＲＳ伝送のための伝送電力値を決定すること、を含むことができる。
【００１９】
上記のさらに他の技術的課題を解決するための、非周期的（ａｐｅｒｉｏｄｉｃ）サウンディング参照信号（Ｓｏｕｎｄｉｎｇ  Ｒｅｆｅｒｅｎｃｅ  Ｓｉｇｎａｌ、ＳＲＳ）トリガリングに基づいてＳＲＳを伝送する端末装置は、基地局から複数の非周期的ＳＲＳ構成（ｃｏｎｆｉｇｕｒａｔｉｏｎ）情報及び非周期的ＳＲＳ伝送をトリガリング（ｔｒｉｇｇｅｒｉｎｇ）する指示子を受信する受信器と、前記非周期的ＳＲＳ伝送トリガリング指示子を受信したサブフレームインデックス、前記非周期的ＳＲＳ伝送トリガリング指示子の受信サブフレームと対応する非周期的ＳＲＳ伝送サブフレーム間の時間関係、及びアップリンクチャネル状態の少なくとも一つに基づいて、前記複数の非周期的ＳＲＳ構成情報から特定の非周期的ＳＲＳ構成情報を選択するプロセッサと、前記選択された非周期的ＳＲＳ構成情報に基づいて、前記非周期的ＳＲＳ伝送トリガリング指示子に対する非周期的ＳＲＳを伝送する送信器と、を備え、前記複数の非周期的ＳＲＳ構成情報は、前記非周期的ＳＲＳ伝送トリガリング指示子に対応して非周期的ＳＲＳを伝送するリソースに関する情報を含むことができる。
【００２０】
上記のさらに他の技術的課題を解決するための、本発明に係る非周期的（ａｐｅｒｉｏｄｉｃ）サウンディング参照信号（Ｓｏｕｎｄｉｎｇ  Ｒｅｆｅｒｅｎｃｅ  Ｓｉｇｎａｌ、ＳＲＳ）伝送のためのアップリンク伝送電力を制御する端末装置は、基地局から、前記非周期的ＳＲＳ伝送のための電力オフセット値を受信する受信器と、前記非周期的ＳＲＳ伝送のための電力オフセット値を用いて前記非周期的ＳＲＳ伝送電力値を決定するプロセッサと、前記決定された非周期的ＳＲＳ伝送電力値で非周期的ＳＲＳを伝送する送信器と、を備えることができる。
例えば、本発明は以下の項目を提供する。
（項目１）
無線通信システムにおいて端末が非周期的（ａｐｅｒｉｏｄｉｃ）サウンディング参照信号（Ｓｏｕｎｄｉｎｇ  Ｒｅｆｅｒｅｎｃｅ  Ｓｉｇｎａｌ、ＳＲＳ）トリガリングに基づいてＳＲＳを伝送する方法であって、
基地局から、複数の非周期的ＳＲＳ構成（ｃｏｎｆｉｇｕｒａｔｉｏｎ）情報を受信し、
前記基地局から、非周期的ＳＲＳ伝送をトリガリング（ｔｒｉｇｇｅｒｉｎｇ）する指示子を受信し、
前記非周期的ＳＲＳ伝送トリガリング指示子を受信したサブフレームインデックス、前記非周期的ＳＲＳ伝送トリガリング指示子の受信サブフレームと対応する非周期的ＳＲＳ伝送サブフレーム間の時間関係、及びアップリンクチャネル状態の少なくとも一つに基づいて、前記複数の非周期的ＳＲＳ構成情報から特定の非周期的ＳＲＳ構成情報を選択し、
前記選択された非周期的ＳＲＳ構成情報に基づいて、前記非周期的ＳＲＳ伝送トリガリング指示子に対する非周期的ＳＲＳを伝送すること、を含み、
前記複数の非周期的ＳＲＳ構成情報は、前記非周期的ＳＲＳ伝送トリガリング指示子に対応して非周期的ＳＲＳを伝送するリソースに関する情報を含む、非周期的ＳＲＳトリガリングベースのＳＲＳ伝送方法。
（項目２）
前記非周期的ＳＲＳ伝送は、前記非周期的ＳＲＳ伝送トリガリング指示子を受信したサブフレームがサブフレームｎであれば、サブフレームｎ以降の事前に構成された周期的ＳＲＳ伝送サブフレームのうち最も早いサブフレームである第１の非周期的ＳＲＳ伝送サブフレーム、または、サブフレームｎ＋３以降の前記事前に構成された周期的ＳＲＳ伝送サブフレームのうち最も早いサブフレームである第２の非周期的ＳＲＳ伝送サブフレームを通じて行われる、項目１に記載の非周期的ＳＲＳトリガリングベースのＳＲＳ伝送方法。
（項目３）
前記非周期的ＳＲＳ伝送トリガリング指示子を受信したサブフレームインデックスｎが偶数であれば、前記非周期的ＳＲＳを伝送する段階で、前記第１の非周期的ＳＲＳサブフレームまたは前記第２の非周期的ＳＲＳサブフレームの周波数軸上の部分帯域（ｐａｒｔｉａｌ−ｂａｎｄ）を通じて前記非周期的ＳＲＳを伝送する、項目２に記載の非周期的ＳＲＳトリガリングベースのＳＲＳ伝送方法。
（項目４）
前記非周期的ＳＲＳ伝送トリガリング指示子を受信したサブフレームインデックスｎが奇数であれば、前記非周期的ＳＲＳを伝送する段階で、前記第１の非周期的ＳＲＳサブフレームまたは前記第２の非周期的ＳＲＳサブフレームの周波数軸上の全体帯域（ｆｕｌｌ−ｂａｎｄ）を通じて前記非周期的ＳＲＳを伝送する、項目２に記載の非周期的ＳＲＳトリガリングベースのＳＲＳ伝送方法。
（項目５）
前記非周期的ＳＲＳ伝送トリガリング指示子を受信したサブフレームであるサブフレームｎと前記端末に割り当てられた一つ以上の周期的ＳＲＳ伝送サブフレームとの時間関係が、４個のサブフレームに該当する時間差であれば、前記複数の非周期的ＳＲＳ構成から第１の非周期的ＳＲＳ構成を選択し、前記第１の非周期的ＳＲＳ構成に従って、前記非周期的ＳＲＳを前記第１の非周期的ＳＲＳサブフレームを通じて伝送する、項目２に記載の非周期的ＳＲＳトリガリングベースのＳＲＳ伝送方法。
（項目６）
前記非周期的ＳＲＳは、前記第１の非周期的ＳＲＳサブフレームの周波数軸上の全体−帯域を通じて伝送する、項目５に記載の非周期的ＳＲＳトリガリングベースのＳＲＳ伝送方法。
（項目７）
前記非周期的ＳＲＳ伝送トリガリング指示子を受信したサブフレームであるサブフレームｎと前記端末に割り当てられた一つ以上の周期的ＳＲＳ伝送サブフレームとの時間関係が、４個のサブフレームに該当する時間差でなければ、前記複数の非周期的ＳＲＳ構成から第２の非周期的ＳＲＳ構成を選択し、前記第２の非周期的ＳＲＳ構成に従って、前記非周期的ＳＲＳを前記第２の非周期的ＳＲＳサブフレームを通じて伝送する、項目２に記載の非周期的ＳＲＳトリガリングベースのＳＲＳ伝送方法。
（項目８）
前記非周期的ＳＲＳは、前記第２の非周期的ＳＲＳサブフレームの周波数軸上の部分−帯域を通じて伝送する、項目７に記載の非周期的ＳＲＳトリガリングベースのＳＲＳ伝送方法。
（項目９）
前記アップリンクチャネル状態が事前に定義したチャネル状態よりも良好でない場合に、前記複数の非周期的ＳＲＳ構成から第２の非周期的ＳＲＳ構成を選択し、前記第２の非周期的ＳＲＳ構成に従って、前記第１の非周期的ＳＲＳサブフレームまたは前記第２の非周期的ＳＲＳサブフレームの周波数軸上の部分帯域（ｐａｒｔｉａｌ−ｂａｎｄ）を通じて前記非周期的ＳＲＳを伝送する、項目２に記載の非周期的ＳＲＳトリガリングベースのＳＲＳ伝送方法。
（項目１０）
前記アップリンクチャネル状態が事前に定義したチャネル状態よりも良好な場合に、前記複数の非周期的ＳＲＳ構成から第１の非周期的ＳＲＳ構成を選択し、前記第１の非周期的ＳＲＳ構成に従って、前記第１の非周期的ＳＲＳサブフレームまたは前記第２の非周期的ＳＲＳサブフレームの周波数軸上の全体帯域（ｆｕｌｌ−ｂａｎｄ）を通じて前記非周期的ＳＲＳを伝送する、項目２に記載の非周期的ＳＲＳトリガリングベースのＳＲＳ伝送方法。
（項目１１）
前記非周期的ＳＲＳ伝送トリガリング指示子に対応する前記非周期的ＳＲＳを伝送する時に伝送電力が十分でないと、前記部分−帯域内の事前に定義されたフォールバック（ｆａｌｌｂａｃｋ）非周期的ＳＲＳリソースを通じて、前記非周期的ＳＲＳを伝送する、項目３に記載の非周期的ＳＲＳトリガリングベースのＳＲＳ伝送方法。
（項目１２）
前記非周期的ＳＲＳ伝送トリガリング指示子に対応する前記非周期的ＳＲＳを伝送する時に伝送電力が十分でないと、前記全体−帯域内の事前に定義されたフォールバック（ｆａｌｌｂａｃｋ）非周期的ＳＲＳリソースを通じて、前記非周期的ＳＲＳを伝送する、項目４に記載の非周期的ＳＲＳトリガリングベースのＳＲＳ伝送方法。
（項目１３）
無線通信システムにおいて端末が非周期的（ａｐｅｒｉｏｄｉｃ）サウンディング参照信号（Ｓｏｕｎｄｉｎｇ  Ｒｅｆｅｒｅｎｃｅ  Ｓｉｇｎａｌ、ＳＲＳ）伝送のためのアップリンク伝送電力を制御する方法であって、
基地局から、非周期的ＳＲＳ伝送のための電力オフセット値を受信し、
前記非周期的ＳＲＳ伝送のための電力オフセット値を用いて前記非周期的ＳＲＳ伝送電力値を決定し、
前記決定された非周期的ＳＲＳ伝送電力値で非周期的ＳＲＳを伝送すること、を含む、非周期的ＳＲＳ伝送のためのアップリンク伝送電力制御方法。
（項目１４）
前記非周期的ＳＲＳ伝送のみのための電力オフセット値は、上位層シグナリングを通じて受信される値であって、端末別に特定した値である、項目１３に記載の非周期的ＳＲＳ伝送のためのアップリンク伝送電力制御方法。
（項目１５）
前記基地局から前記非周期的ＳＲＳ伝送をトリガリングする指示子を受信することをさらに含み、
前記非周期的ＳＲＳ伝送トリガリング指示子によって前記非周期的ＳＲＳ伝送が行われる、項目１３に記載の非周期的ＳＲＳ伝送のためのアップリンク伝送電力制御方法。
（項目１６）
無線通信システムにおいて端末が非周期的（ａｐｅｒｉｏｄｉｃ）サウンディング参照信号（Ｓｏｕｎｄｉｎｇ  Ｒｅｆｅｒｅｎｃｅ  Ｓｉｇｎａｌ、ＳＲＳ）伝送のためのアップリンク伝送電力を制御する方法であって、
基地局から、周期的ＳＲＳ伝送のための電力オフセット値と非周期的ＳＲＳ伝送のための電力オフセット値を受信し、
前記基地局から、非周期的ＳＲＳ伝送をトリガリングする指示子を受信し、
前記非周期的ＳＲＳ伝送トリガリング指示子によって前記非周期的ＳＲＳ伝送のための電力オフセット値を用いて前記非周期的ＳＲＳ伝送のための伝送電力値を決定すること、を含む、非周期的ＳＲＳ伝送のためのアップリンク伝送電力制御方法。
（項目１７）
前記決定された非周期的ＳＲＳ伝送電力値で非周期的ＳＲＳを伝送することを含む、項目１６に記載の非周期的ＳＲＳ伝送のためのアップリンク伝送電力制御方法。
（項目１８）
前記非周期的ＳＲＳ伝送電力値の決定は、サブフレーム単位で決定される、項目１６に記載の非周期的ＳＲＳ伝送のためのアップリンク伝送電力制御方法。
（項目１９）
無線通信システムにおいて非周期的（ａｐｅｒｉｏｄｉｃ）サウンディング参照信号（Ｓｏｕｎｄｉｎｇ  Ｒｅｆｅｒｅｎｃｅ  Ｓｉｇｎａｌ、ＳＲＳ）トリガリングに基づいてＳＲＳを伝送する端末装置であって、
基地局から、複数の非周期的ＳＲＳ構成（ｃｏｎｆｉｇｕｒａｔｉｏｎ）情報及び非周期的ＳＲＳ伝送をトリガリング（ｔｒｉｇｇｅｒｉｎｇ）する指示子を受信する受信器と、
前記非周期的ＳＲＳ伝送トリガリング指示子を受信したサブフレームインデックス、前記非周期的ＳＲＳ伝送トリガリング指示子の受信サブフレームと対応する非周期的ＳＲＳ伝送サブフレーム間の時間関係、及びアップリンクチャネル状態の少なくとも一つに基づいて、前記複数の非周期的ＳＲＳ構成情報から特定の非周期的ＳＲＳ構成情報を選択するプロセッサと、
前記選択された非周期的ＳＲＳ構成情報に基づいて前記非周期的ＳＲＳ伝送トリガリング指示子に対する非周期的ＳＲＳを伝送する送信器と、を備え、
前記複数の非周期的ＳＲＳ構成情報は、前記非周期的ＳＲＳ伝送トリガリング指示子に対応して非周期的ＳＲＳを伝送するリソースに関する情報を含む、端末装置。
（項目２０）
無線通信システムにおいて非周期的（ａｐｅｒｉｏｄｉｃ）サウンディング参照信号（Ｓｏｕｎｄｉｎｇ  Ｒｅｆｅｒｅｎｃｅ  Ｓｉｇｎａｌ、ＳＲＳ）伝送のためのアップリンク伝送電力を制御する端末装置であって、
基地局から、周期的ＳＲＳ伝送のための電力オフセット値、非周期的ＳＲＳ伝送のための電力オフセット値及び非周期的ＳＲＳ伝送をトリガリングする指示子を受信する受信器と、
前記非周期的ＳＲＳ伝送トリガリング指示子によって前記非周期的ＳＲＳ伝送のための電力オフセット値を用いて前記非周期的ＳＲＳ伝送のための伝送電力値を決定するプロセッサと、
を備える、端末装置。
【発明の効果】
【００２１】
本発明によれば、非周期的ＳＲＳ構成に従って端末が非周期的ＳＲＳを伝送することによって、アップリンクチャネル状態をより正確に推定することができる。また、端末は、非周期的ＳＲＳ伝送トリガリング指示子を受信したサブフレームインデックス、非周期的ＳＲＳ伝送トリガリング指示子の受信サブフレームと対応する非周期的ＳＲＳ伝送サブフレーム間の時間関係、またはアップリンクチャネル状態に基づいて、多数の非周期的ＳＲＳ構成情報から特定の非周期的ＳＲＳ構成情報を選択して非周期的ＳＲＳを伝送することによって、通信性能を向上させることができる。
【００２２】
また、アップリンクチャネル状態をより正確に推定可能にする他、適応的な（ａｄａｐｔｉｖｅ）非周期的ＳＲＳ構成スイッチングを通じてＳＲＳカバレッジの問題と同一チャネルの異種網（ｃｏ−ｃｈａｎｎｅｌ  ＨｅｔＮｅｔ）シナリオでのアップリンク信号干渉の問題を效率的に解決することができる。
【００２３】
また、本発明で提案した非周期的ＳＲＳ伝送のためのアップリンク電力制御式を用いて非周期的ＳＲＳ伝送電力を決定して非周期的ＳＲＳを伝送することができる。
【００２４】
本発明から得られる効果は、以上に言及した効果に制限されず、言及していない別の効果は、下の記載から、本発明の属する技術の分野における通常の知識を有する者には明確に理解されるであろう。
【図面の簡単な説明】
【００２５】
本明細書に添付している図面は、本発明に関する理解を提供するためのもので、本発明の様々な実施の形態を示し、明細書の記載と共に本発明の原理を説明するためのものである。
【００２６】
【図１】本発明に係る無線通信システム２００における基地局２０５及び端末２１０の構成を示すブロック図である。
【図２】移動通信システムの一例である３ＧＰＰ  ＬＴＥシステムで用いられる無線フレームの構造を例示する図である。
【図３】図３（ａ）及び図３（ｂ）は、移動通信システムの一例である３ＧＰＰ  ＬＴＥシステムにおけるダウンリンク及びアップリンクサブフレームの構造を示す図である。
【図４】本発明で用いられるダウンリンクの時間−周波数リソース格子構造（ｒｅｓｏｕｒｃｅ  ｇｒｉｄ  ｓｔｒｕｃｔｕｒｅ）を示す図である。
【図５】一般的な多重アンテナ（ＭＩＭＯ）通信システムの構成図である。
【図６】ＮＴ個の送信アンテナから受信アンテナｉへのチャネルを示す図である。
【図７】図７（ａ）及び図７（ｂ）は、移動通信システムの一例である３ＧＰＰ  ＬＴＥシステムにおける参照信号パターンを示す図であり、図７（ａ）は、一般ＣＰ（ｎｏｒｍａｌ  Ｃｙｃｌｉｃ  Ｐｒｅｆｉｘ）が適用された場合の参照信号パターンを示し、図７の（ｂ）は、拡張されたＣＰ（ｅｘｔｅｎｄｅｄ    Ｃｙｃｌｉｃ  Ｐｒｅｆｉｘ）が適用された場合の参照信号パターンを示す。
【図８】ＳＲＳシンボルを含むアップリンクサブフレーム構成の一例を示す図である。
【図９Ａ】それぞれ、セル−特定（ｃｅｌｌ−ｓｐｅｃｉｆｉｃ）周期的ＳＲＳ伝送のためのサブフレームの一例と、端末−特定（ＵＥ−ｓｐｅｃｉｆｉｃ）周期的ＳＲＳ伝送のためのサブフレームの一例を示す図である。
【図９Ｂ】それぞれ、セル−特定（ｃｅｌｌ−ｓｐｅｃｉｆｉｃ）周期的ＳＲＳ伝送のためのサブフレームの一例と、端末−特定（ＵＥ−ｓｐｅｃｉｆｉｃ）周期的ＳＲＳ伝送のためのサブフレームの一例を示す図である。
【図１０Ａ】それぞれ、非周期的ＳＲＳトリガリンググラントを受信するサブフレームとこれに対応する非周期的ＳＲＳ伝送サブフレームとの時間関係を用いて、多数のＳＲＳ構成を動的に選択する動作の一例を示す図である。
【図１０Ｂ】それぞれ、非周期的ＳＲＳトリガリンググラントを受信するサブフレームとこれに対応する非周期的ＳＲＳ伝送サブフレームとの時間関係を用いて、多数のＳＲＳ構成を動的に選択する動作の一例を示す図である。
【図１０Ｃ】それぞれ、非周期的ＳＲＳトリガリンググラントを受信するサブフレームとこれに対応する非周期的ＳＲＳ伝送サブフレームとの時間関係を用いて、多数のＳＲＳ構成を動的に選択する動作の一例を示す図である。
【図１１】非周期的ＳＲＳトリガリンググラント到着時点のサブフレームインデックス分類に対して異なる基準を適用した場合における非周期的ＳＲＳ動作を説明するための図である。
【図１２Ａ】それぞれ、ＳＲＳ構成の非周期的ＳＲＳサブフレームの一例を示す図である。
【図１２Ｂ】それぞれ、ＳＲＳ構成の非周期的ＳＲＳサブフレームの一例を示す図である。
【図１３】図１２Ａ及び図１２Ｂの非周期的ＳＲＳ構成及び端末が非周期的ＳＲＳトリガリンググラントを受信した時点に従う、非周期的ＳＲＳ構成動作のスイッチングを説明するための図である。
【図１４Ａ】それぞれ、フォールバック（ｆａｌｌｂａｃｋ）非周期的ＳＲＳ伝送を説明するための図である。
【図１４Ｂ】それぞれ、フォールバック（ｆａｌｌｂａｃｋ）非周期的ＳＲＳ伝送を説明するための図である。
【図１５Ａ】それぞれ、２ｍｓの周期でセル−特定ＳＲＳリソース（サブフレーム）が割り当てられる時に、効率的な非周期的ＳＲＳ伝送のためにセル−特定ＳＲＳリソースを再使用する方法を説明するための図である。
【図１５Ｂ】それぞれ、２ｍｓの周期でセル−特定ＳＲＳリソース（サブフレーム）が割り当てられる時に、効率的な非周期的ＳＲＳ伝送のためにセル−特定ＳＲＳリソースを再使用する方法を説明するための図である。
【図１５Ｃ】それぞれ、２ｍｓの周期でセル−特定ＳＲＳリソース（サブフレーム）が割り当てられる時に、効率的な非周期的ＳＲＳ伝送のためにセル−特定ＳＲＳリソースを再使用する方法を説明するための図である。
【図１６】端末−特定（ＵＥ−ｓｐｅｃｉｆｉｃ）周期的ＳＲＳサブフレームを示す図である。
【図１７Ａ】それぞれ、非周期的ＳＲＳトリガリンググラント受信サブフレームとこれに対応する非周期的ＳＲＳ伝送サブフレームとの時間関係を用いて、多数のＳＲＳ構成を動的に選択する動作を説明するための図である。
【図１７Ｂ】それぞれ、非周期的ＳＲＳトリガリンググラント受信サブフレームとこれに対応する非周期的ＳＲＳ伝送サブフレームとの時間関係を用いて、多数のＳＲＳ構成を動的に選択する動作を説明するための図である。
【図１７Ｃ】それぞれ、非周期的ＳＲＳトリガリンググラント受信サブフレームとこれに対応する非周期的ＳＲＳ伝送サブフレームとの時間関係を用いて、多数のＳＲＳ構成を動的に選択する動作を説明するための図である。
【図１８】端末の非周期的ＳＲＳトリガリンググラント受信時点のサブフレームインデックス分類に対して異なる基準を適用した場合に対応する非周期的ＳＲＳ伝送を説明するための図である。
【図１９Ａ】それぞれ、ＳＲＳ構成の非周期的ＳＲＳサブフレームの一例を示す図である。
【図１９Ｂ】それぞれ、ＳＲＳ構成の非周期的ＳＲＳサブフレームの一例を示す図である。
【図２０】図１９Ａ及び図１９Ｂの非周期的ＳＲＳ構成と端末が非周期的ＳＲＳトリガリンググラントを受信した時点に従う、非周期的ＳＲＳ構成動作のスイッチングを説明するための図である。
【図２１Ａ】非周期的ＳＲＳ伝送リソースの一部を、フォールバック（ｆａｌｌｂａｃｋ）非周期的ＳＲＳ伝送リソースとして分けて用いる新しい方式の非周期的ＳＲＳ伝送を説明するための図である。
【図２１Ｂ】非周期的ＳＲＳ伝送リソースの一部を、フォールバック（ｆａｌｌｂａｃｋ）非周期的ＳＲＳ伝送リソースとして分けて用いる新しい方式の非周期的ＳＲＳ伝送を説明するための図である。
【発明を実施するための形態】
【００２７】
以下、本発明に係る好適な実施の形態を、添付の図面を参照しつつ詳細に説明する。添付の図面と共に以下に開示される詳細な説明は、本発明の例示的な実施の形態を説明するためのもので、本発明が実施されうる唯一の実施の形態を示すためのものではない。以下の詳細な説明は、本発明の完全な理解を提供するために具体的な細部事項を含む。しかし、当業者には、本発明がこのような具体的な細部事項なしにも実施可能であるということがわかる。例えば、以下の詳細な説明は、移動通信システムが３ＧＰＰ  ＬＴＥ、ＬＴＥ−Ａシステムである場合を取って具体的に説明するが、３ＧＰＰ  ＬＴＥ、ＬＴＥ−Ａ特有の事項を除いては、他の任意の移動通信システムにも適用可能である。
【００２８】
場合によっては、本発明の概念が曖昧になることを避けるために、公知の構造及び装置は省略されたり、各構造及び装置の核心機能を中心にしたブロック図の形式で示されてもよい。なお、本明細書全体を通じて同一の構成要素には同一の図面符号を付して説明する。
【００２９】
なお、以下の説明において、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＡＭＳ（Ａｄｖａｎｃｅｄ  Ｍｏｂｉｌｅ  Ｓｔａｔｉｏｎ）のような移動または固定型のユーザー端機器を総称するものとする。また、基地局は、Ｎｏｄｅ  Ｂ、ｅＮｏｄｅ  Ｂ、ＢＳ（Ｂａｓｅ  Ｓｔａｔｉｏｎ）、ＡＰ（Ａｃｃｅｓｓ  Ｐｏｉｎｔ）のような、端末と通信するネットワーク端の任意のノードを総称するものとする。
【００３０】
移動通信システムにおいて、端末（Ｕｓｅｒ  Ｅｑｕｉｐｍｅｎｔ）は、基地局からダウンリンク（Ｄｏｗｎｌｉｎｋ）／バックホールダウンリンクを通じて情報を受信することができ、端末はアップリンク（Ｕｐｌｉｎｋ）を通じて情報を伝送することができる。端末と基地局が伝送または受信する情報にはデータ及び様々な制御情報があり、端末と基地局が伝送または受信する情報の種類・用途に応じて様々な物理チャネルが存在する。
【００３１】
図１は、無線通信システム１００における基地局１０５及び端末１１０の構成を示すブロック図である。
【００３２】
ここでは、無線通信システム１００を簡略化するために、一つの基地局１０５と一つの端末１１０を示しているが、無線通信システム１００は、一つ以上の基地局及び／または一つ以上の端末を含むことができる。
【００３３】
図２を参照すると、基地局１０５は、送信（Ｔｘ）データプロセッサ１１５、シンボル変調器１２０、送信器１２５、送受信アンテナ１３０、プロセッサ１８０、メモリー１８５、受信器１９０、シンボル復調器１９５、受信データプロセッサ１９７を備えることができる。そして、端末１１０は、送信（Ｔｘ）データプロセッサ１６５、シンボル変調器１７０、送信器１７５、送受信アンテナ１３５、プロセッサ１５５、メモリー１６０、受信器１４０、シンボル復調器１５５、受信データプロセッサ１５０を備えることができる。アンテナ１３０，１３５がそれぞれ基地局１０５及び端末１１０において一つとして示されているが、基地局１０５及び端末１１０は複数個のアンテナを備えている。そのため、本発明に係る基地局１０５及び端末１１０は、ＭＩＭＯ（Ｍｕｌｔｉｐｌｅ  Ｉｎｐｕｔ  Ｍｕｌｔｉｐｌｅ  Ｏｕｔｐｕｔ）システムを支援するすることができる。また、本発明に係る基地局１０５は、ＳＵ−ＭＩＭＯ（Ｓｉｎｇｌｅ  Ｕｓｅｒ−ＭＩＭＯ）、ＭＵ−ＭＩＭＯ（Ｍｕｌｔｉ  Ｕｓｅｒ−ＭＩＭＯ）の両方式とも支援することができる。
【００３４】
ダウンリンク上で、送信データプロセッサ１１５は、トラフィックデータを受信し、受信したトラフィックデータをフォーマットしてコーディングし、コーディングされたトラフィックデータをインターリービング及び変調して（またはシンボルマッピングして）、これらの変調シンボル（「データシンボル」）を提供する。シンボル変調器１２０は、これらのデータシンボルとパイロットシンボルを受信及び処理し、シンボルのストリームを提供する。
【００３５】
シンボル変調器１２０は、データ及びパイロットシンボルを多重化し、それを送信器１２５に伝送する。この時、それぞれの送信シンボルは、データシンボル、パイロットシンボル、またはゼロの信号値でもよい。それぞれのシンボル周期で、パイロットシンボルが連続して送信されてもよい。パイロットシンボルは、周波数分割多重化（ＦＤＭ）、直交周波数分割多重化（ＯＦＤＭ）、時分割多重化（ＴＤＭ）、またはコード分割多重化（ＣＤＭ）シンボルでよい。
【００３６】
送信器１２５は、シンボルのストリームを受信し、これを一つ以上のアナログ信号に変換し、これらのアナログ信号をさらに調節（例えば、増幅、フィルタリング、及び周波数アップコンバーティング（ｕｐｃｏｎｖｅｒｔｉｎｇ））して、無線チャネルを通じた送信に適したダウンリンク信号を生成する。すると、アンテナ１３０は、生成されたダウンリンク信号を端末に伝送する。
【００３７】
端末１１０の構成において、アンテナ１３５は、基地局からのダウンリンク信号を受信し、受信した信号を受信器１４０に提供する。受信器１４０は、受信した信号を調整（例えば、フィルタリング、増幅、及び周波数ダウンコンバーティング（ｄｏｗｎｃｏｎｖｅｒｔｉｎｇ））して、調整された信号をデジタル化してサンプルを獲得する。シンボル復調器１４５は、受信したパイロットシンボルを復調し、それを、チャネル推定のためにプロセッサ１５５に提供する。
【００３８】
また、シンボル復調器１４５は、プロセッサ１５５から、ダウンリンクに対する周波数応答推定値を受信し、受信したデータシンボルにデータ復調を行うことで、（受信したデータシンボルの推定値である）データシンボル推定値を獲得し、データシンボル推定値を受信（Ｒｘ）データプロセッサ１５０に提供する。受信データプロセッサ１５０は、データシンボル推定値を復調（すなわち、シンボルデマッピング（ｄｅｍａｐｐｉｎｇ））し、デインターリービング（ｄｅｉｎｔｅｒｌｅａｖｉｎｇ）し、デコーディングすることで、受信したトラフィックデータを復旧する。
【００３９】
シンボル復調器１４５及び受信データプロセッサ１５０による処理はそれぞれ、基地局２０５でのシンボル変調器１２０及び送信データプロセッサ１１５による処理と相補的である。
【００４０】
端末１１０では、アップリンク上で、送信データプロセッサ１６５がトラフィックデータを処理してデータシンボルを提供する。シンボル変調器１７０は、データシンボルを受信し、多重化し、変調を行って、シンボルのストリームを送信器１７５に提供することができる。送信器１７５は、シンボルのストリームを受信及び処理して、アップリンク信号を生成する。そして、アンテナ１３５は、生成されたアップリンク信号を基地局１０５に伝送する。
【００４１】
基地局１０５では、端末１１０からアップリンク信号がアンテナ１３０を介して受信され、受信器１９０は、受信したアップリンク信号を処理してサンプルを獲得する。続いて、シンボル復調器１９５は、これらのサンプルを処理して、アップリンクに対して受信したパイロットシンボル及びデータシンボル推定値を提供する。受信データプロセッサ１９７は、データシンボル推定値を処理して、端末１１０から伝送されたトラフィックデータを復旧する。
【００４２】
端末１１０及び基地局１０５のそれぞれのプロセッサ１５５，１８０はそれぞれ、端末１１０及び基地局１０５での動作を指示（例えば、制御、調整、管理など）する。それぞれのプロセッサ１５５，１８０は、プログラムコード及びデータを記憶するメモリー１６０，１８５と接続することができる。メモリー１６０，１８５は、プロセッサ１８０に接続してオペレーティングシステム、アプリケーション、及び一般ファイル（ｇｅｎｅｒａｌ  ｆｉｌｅｓ）を記憶する。
【００４３】
プロセッサ１５５，１８０を、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶこともできる。一方、プロセッサ１５５，１８０は、ハードウェア（ｈａｒｄｗａｒｅ）、ファームウェア（ｆｉｒｍｗａｒｅ）、ソフトウェア、またはこれらの結合により具現することができる。ハードウェアを用いて本発明の実施例を具現する場合には、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などをプロセッサ１５５，１８０に備えることができる。
【００４４】
一方、ファームウェアやソフトウェアを用いて本発明の実施例を具現する場合には、本発明の機能または動作を行うモジュール、手順または関数などを含むようにファームウェアやソフトウェアを構成することができる。本発明を実行できるように構成されたファームウェアまたはソフトウェアは、プロセッサ１５５，１８０内に組み込まれたり、メモリー１６０，１８５に格納されて、プロセッサ１５５，１８０により駆動されるようにすることができる。
【００４５】
端末と基地局の無線通信システム（ネットワーク）間における無線インターフェースプロトコルのレイヤーは、通信システムで周知であるＯＳＩ（ｏｐｅｎ  ｓｙｓｔｅｍ  ｉｎｔｅｒｃｏｎｎｅｃｔｉｏｎ）モデルの下位の３レイヤーに基づき、第１のレイヤー（Ｌ１）、第２のレイヤー（Ｌ２）、及び第３のレイヤー（Ｌ３）に分類することができる。物理レイヤーは、第１のレイヤーに属し、物理チャネルを通じて情報伝送サービスを提供する。ＲＲＣ（Ｒａｄｉｏ  Ｒｅｓｏｕｒｃｅ  Ｃｏｎｔｒｏｌ）レイヤーは、第３のレイヤーに属し、ＵＥとネットワーク間の制御無線リソースを提供する。端末及び基地局は無線通信ネットワークとＲＲＣレイヤーを通じてＲＲＣメッセージを交換することができる。
【００４６】
図２は、移動通信システムの一例である３ＧＰＰ  ＬＴＥシステムで用いられる無線フレームの構造を例示する図である。
【００４７】
図２を参照すると、１無線フレーム（ｒａｄｉｏ  ｆｒａｍｅ）は、１０ｍｓ（３２７２００Ｔｓ）の長さを有し、１０個の均等なサイズのサブフレーム（ｓｕｂｆｒａｍｅ）で構成されている。それぞれのサブフレームは、１ｍｓの長さを有し、２個のスロット（ｓｌｏｔ）で構成されている。それぞれのスロットは、０．５ｍｓ（１５３６０Ｔｓ）の長さを有する。ここで、Ｔｓは、サンプリング時間を示し、Ｔｓ＝１／（１５ｋＨｚ×２０４８）＝３．２５５２×１０−８（約３３ｎｓ）で表示される。スロットは、時間領域において複数のＯＦＤＭシンボルあるいはＳＣ−ＦＤＭＡシンボルを含み、周波数領域において複数のリソースブロック（Ｒｅｓｏｕｒｃｅ  Ｂｌｏｃｋ）を含む。
【００４８】
ＬＴＥシステムにおいて、１リソースブロックは、１２個の副搬送波×７（６）個のＯＦＤＭシンボルあるいはＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）シンボルを含む。データの伝送される単位時間であるＴＴＩ（Ｔｒａｎｓｍｉｓｓｉｏｎ  Ｔｉｍｅ  Ｉｎｔｅｒｖａｌ）は、１以上のサブフレーム単位に定めることができる。上述した無線フレームの構造は例示に過ぎず、無線フレームに含まれるサブフレームの数またはサブフレームに含まれるスロットの数、スロットに含まれるＯＦＤＭシンボルあるいはＳＣ−ＦＤＭＡシンボルの数は、様々に変更可能である。
【００４９】
図３（ａ）及び図３（ｂ）はそれぞれ、移動通信システムの一例である３ＧＰＰ  ＬＴＥシステムにおけるダウンリンク及びアップリンクサブフレームの構造を示す図である。
【００５０】
図３（ａ）を参照すると、一つのダウンリンクサブフレームは、時間領域において２個のスロットを含む。ダウンリンクサブフレーム内の１番目のスロットにおける先頭の最大３  ＯＦＤＭシンボルが、制御チャネルが割り当てられる制御領域（ｃｏｎｔｒｏｌ  ｒｅｇｉｏｎ）であり、残りＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域となる。
【００５１】
３ＧＰＰ  ＬＴＥで用いられるダウンリンク制御チャネルは、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。サブフレームの１番目のＯＦＤＭシンボルで伝送されるＰＣＦＩＣＨは、サブフレーム内で制御チャネルの伝送に用いられるＯＦＤＭシンボルの数（すなわち、制御領域のサイズ）に関する情報を運ぶ。ＰＤＣＣＨを通じて伝送される制御情報をダウンリンク制御情報（Ｄｏｗｎｌｉｎｋ  Ｃｏｎｔｒｏｌ  Ｉｎｆｏｒｍａｔｉｏｎ、ＤＣＩ）という。ＤＣＩは、アップリンクリソース割当情報、ダウンリンクリソース割当情報及び任意の端末グループに対するアップリンク伝送パワー制御命令などを指示する。ＰＨＩＣＨは、アップリンクＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号を運ぶ。すなわち、端末が伝送したアップリンクデータに対するＡＣＫ／ＮＡＣＫ信号は、ＰＨＩＣＨ上で伝送される。
【００５２】
以下、ダウンリンク物理チャネルであるＰＤＣＣＨについて述べる。
【００５３】
基地局は、ＰＤＣＣＨを通じて、ＰＤＳＣＨのリソース割当及び伝送フォーマット（これをＤＬ  ｇｒａｎｔともいう。）、ＰＵＳＣＨのリソース割当情報（これを、ＵＬ  ｇｒａｎｔともいう。）、任意の端末グループ内の個別端末に対する伝送パワー制御命令の集合及びＶｏＩＰ（Ｖｏｉｃｅ  ｏｖｅｒ  Ｉｎｔｅｒｎｅｔ  Ｐｒｏｔｏｃｏｌ）の活性化などを伝送することができる。複数のＰＤＣＣＨが制御領域内で伝送されることがあり、端末は、複数のＰＤＣＣＨをモニタリングすることができる。ＰＤＣＣＨは、一つまたは複数の連続したＣＣＥ（Ｃｏｎｔｒｏｌ  Ｃｈａｎｎｅｌ  Ｅｌｅｍｅｎｔｓ）の組み合わせ（ａｇｇｒｅｇａｔｉｏｎ）で構成される。一つまたは複数の連続したＣＣＥの組み合わせで構成されたＰＤＣＣＨは、サブブロックインターリービング（ｓｕｂｂｌｏｃｋ  ｉｎｔｅｒｌｅａｖｉｎｇ）を経た後に、制御領域を通じて伝送されることが可能である。ＣＣＥは、無線チャネルの状態に応じた符号化率をＰＤＣＣＨに提供するために用いられる論理的割当単位である。ＣＣＥは、複数のリソース要素グループ（ｒｅｓｏｕｒｃｅ  ｅｌｅｍｅｎｔ  ｇｒｏｕｐ）に対応する。ＣＣＥの数及びＣＣＥにより提供される符号化率の関係に従ってＰＤＣＣＨのフォーマット及び可能なＰＤＣＣＨのビット数が決定される。
【００５４】
ＰＤＣＣＨを通じて伝送される制御情報を、ダウンリンク制御情報（ｄｏｗｎｌｉｎｋ  ｃｏｎｔｒｏｌ  ｉｎｆｏｒｍａｔｉｏｎ、ＤＣＩ）という。下記の表１は、ＤＣＩフォーマットによるＤＣＩを示す。
【００５５】
【表１】
0005866124.tif 000002
【００５６】
ＤＣＩフォーマット０は、アップリンクリソース割当情報を指示し、ＤＣＩフォーマット１〜２は、ダウンリンクリソース割当情報を指示し、ＤＣＩフォーマット３、３Ａは、任意の端末グループに対するアップリンクＴＰＣ（ｔｒａｎｓｍｉｔ  ｐｏｗｅｒ  ｃｏｎｔｒｏｌ）命令を指示する。
【００５７】
ＬＴＥシステムにおいて、基地局がＰＤＣＣＨの伝送のためにリソースをマッピングする方案について簡単に説明する。
【００５８】
一般に、基地局は、ＰＤＣＣＨを通じてスケジューリング割当情報及び他の制御情報を伝送することができる。物理制御チャネルは、一つまたは複数個の連続した制御チャネル要素（ＣＣＥ：Ｃｏｎｔｒｏｌ  Ｃｈａｎｎｅｌ  Ｅｌｅｍｅｎｔ）の組み合わせ（ａｇｇｒｅｇａｔｉｏｎ）で伝送することができる。一つのＣＣＥは、９個のリソース要素グループ（Ｒｅｓｏｕｒｃｅ  Ｅｌｅｍｅｎｔ  Ｇｒｏｕｐ、ＲＥＧ）を含む。ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）またはＰＨＩＣＨ（Ｐｈｙｓｉｃａｌ  Ｈｙｂｒｉｄ  Ａｕｔｏｍａｔｉｃ  Ｒｅｐｅａｔ  Ｒｅｑｕｅｓｔ  Ｉｎｄｉｃａｔｏｒ  Ｃｈａｎｎｅｌ）に割り当てられなかったＲＥＧの個数は、ＮＲＥＧである。システムで利用可能なＣＣＥは、０〜ＮＣＣＥ−１である（ここで、
【００５９】
【化１】
0005866124.tif 000003
【００６０】
である）。ＰＤＣＣＨは、下記の表３に示すように、多重フォーマットを支援する。ｎ個の連続ＣＣＥで構成された一つのＰＤＣＣＨは、ｉ  ｍｏｄ  ｎ＝０を行うＣＣＥから始まる（ここで、ｉはＣＣＥ番号である）。多重ＰＤＣＣＨを一つのサブフレームで伝送することができる。
【００６１】
【表２】
0005866124.tif 000004
【００６２】
表２を参照すると、基地局は、制御情報などを送る領域の数に基づいてＰＤＣＣＨフォーマットを決定することができる。端末は、ＣＣＥ単位に制御情報などを読むことでオーバーヘッドを減らすことができる。同様に、中継機もＲ−ＣＣＥ単位に制御情報などを読むことができる。ＬＴＥ−Ａシステムでは、任意の中継機のためのＲ−ＰＤＣＣＨを伝送するために、Ｒ−ＣＣＥ（Ｒｅｌａｙ−Ｃｏｎｔｒｏｌ  Ｃｈａｎｎｅｌ  Ｅｌｅｍｅｎｔ）単位にリソース要素（Ｒｅｓｏｕｒｃｅ  Ｅｌｅｍｅｎｔ、ＲＥ）をマッピングすることができる。
【００６３】
図３（ｂ）を参照すると、アップリンクサブフレームは、周波数領域において制御領域とデータ領域とに区別可能である。制御領域は、アップリンク制御情報を運ぶＰＵＣＣＨ（Ｐｈｙｓｉｃａｌ  Ｕｐｌｉｎｋ  Ｃｏｎｔｒｏｌ  ＣＨａｎｎｅｌ）に割り当てられる。データ領域は、ユーザーデータを運ぶためのＰＵＳＣＨ（Ｐｈｙｓｉｃａｌ  Ｕｐｌｉｎｋ  Ｓｈａｒｅｄ  ＣＨａｎｎｅｌ）に割り当てられる。単一搬送波特性を維持するために、一つの端末はＰＵＣＣＨ及びＰＵＳＣＨを同時に伝送しない。一つの端末のためのＰＵＣＣＨは、一つのサブフレームでＲＢ対で割り当てられる。ＲＢ対に属するＲＢは、各２個のスロットで異なる副搬送波を占めている。ＰＵＣＣＨに割り当てられたＲＢ対は、スロット境界（ｓｌｏｔ  ｂｏｕｎｄａｒｙ）で周波数ホッピングする。
【００６４】
図４は、本発明で用いられるダウンリンクの時間−周波数リソース格子構造（ｒｅｓｏｕｒｃｅ  ｇｒｉｄ  ｓｔｒｕｃｔｕｒｅ）を示す図である。
【００６５】
各スロットで伝送されるダウンリンク信号は、
【００６６】
【化２】
0005866124.tif 000005
【００６７】
個の副搬送波（ｓｕｂｃａｒｒｉｅｒ）と
【００６８】
【化３】
0005866124.tif 000006
【００６９】
個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルで構成されるリソース格子（ｒｅｓｏｕｒｃｅ  ｇｒｉｄ）構造を用いる。ここで、
【００７０】
【化４】
0005866124.tif 000007
【００７１】
は、ダウンリンクでのリソースブロック（ＲＢ：Ｒｅｓｏｕｒｃｅ  Ｂｌｏｃｋ）の個数を示し、
【００７２】
【化５】
0005866124.tif 000008
【００７３】
は、一つのＲＢを構成する副搬送波の個数を示し、
【００７４】
【化６】
0005866124.tif 000009
【００７５】
は、一つのダウンリンクスロットにおけるＯＦＤＭシンボルの個数を示す。
【００７６】
【化７】
0005866124.tif 000010
【００７７】
のサイズは、セル内で構成されたダウンリンク伝送帯域幅によって異なり、
【００７８】
【化８】
0005866124.tif 000011
【００７９】
を満たさなければならない。ここで、
【００８０】
【化９】
0005866124.tif 000012
【００８１】
は、無線通信システムが支援する最小のダウンリンク帯域幅であり、
【００８２】
【化１０】
0005866124.tif 000013
【００８３】
は、無線通信システムが支援する最大のダウンリンク帯域幅である。
【００８４】
【化１１】
0005866124.tif 000014
【００８５】
であり、
【００８６】
【化１２】
0005866124.tif 000015
【００８７】
でよいが、これに限定されるものではない。一つのスロット内に含まれたＯＦＤＭシンボルの個数は、巡回プレフィックス（ＣＰ：Ｃｙｃｌｉｃ  Ｐｒｅｆｉｘ）の長さ及び副搬送波の間隔によって異なることがある。多重アンテナ伝送の場合に、一つのアンテナポート当たりに一つのリソース格子を定義することができる。
【００８８】
各アンテナポートに対するリソース格子内の各要素は、リソース要素（ＲＥ：Ｒｅｓｏｕｒｃｅ  Ｅｌｅｍｅｎｔ）と呼ばれ、スロット内のインデックス対（ｋ，ｌ）により唯一に識別される。ここで、ｋは、周波数領域でのインデックスであり、ｌは、時間領域でのインデックスであり、ｋは、０，…，
【００８９】
【化１３】
0005866124.tif 000016
【００９０】
のいずれか一つの値を有し、ｌは、０，…，
【００９１】
【化１４】
0005866124.tif 000017
【００９２】
のいずれか一つの値を有する。
【００９３】
図４に示すリソースブロックは、ある物理チャネルとリソース要素間のマッピング（ｍａｐｐｉｎｇ）関係を記述するために用いられる。ＲＢは、物理リソースブロック（ＰＲＢ：Ｐｈｙｓｉｃａｌ  Ｒｅｓｏｕｒｃｅ  Ｂｌｏｃｋ）と仮想リソースブロック（ＶＲＢ：Ｖｉｒｔｕａｌ  Ｒｅｓｏｕｒｃｅ  Ｂｌｏｃｋ）とに区別される。一つのＰＲＢは、時間領域の
【００９４】
【化１５】
0005866124.tif 000018
【００９５】
個の連続したＯＦＤＭシンボルと周波数領域の
【００９６】
【化１６】
0005866124.tif 000019
【００９７】
個の連続した副搬送波とで定義される。ここで、
【００９８】
【化１７】
0005866124.tif 000020
【００９９】
は、あらかじめ決定された値でよい。例えば、
【０１００】
【化１８】
0005866124.tif 000021
【０１０１】
は、下記の表１のように与えることができる。そのため、一つのＰＲＢは、
【０１０２】
【化１９】
0005866124.tif 000022
【０１０３】
個のリソース要素で構成される。一つのＰＲＢは、時間領域では一つのスロットに対応し、周波数領域では１８０ｋＨｚに対応するが、これに限定されるものではない。
【０１０４】
【表３】
0005866124.tif 000023
【０１０５】
ＰＲＢは、周波数領域で
【０１０６】
【化２０】
0005866124.tif 000024
【０１０７】
の値を有する。周波数領域におけるＰＲＢナンバー（ｎｕｍｂｅｒ）ｎＰＲＢと一つのスロット内におけるリソース要素（ｋ，ｌ）との関係は
【０１０８】
【化２１】
0005866124.tif 000025
【０１０９】
を満たす。
【０１１０】
ＶＲＢのサイズはＰＲＢのサイズと同一である。ＶＲＢは、ローカル型ＶＲＢ（Ｌｏｃａｌｉｚｅｄ  ＶＲＢ、ＬＶＲＢ）と分散型ＶＲＢ（Ｄｉｓｔｒｉｂｕｔｅｄ  ＶＲＢ、ＤＶＲＢ）とに分類可能である。各タイプのＶＲＢについて、一つのサブフレーム内の２つのスロットにおける１対のＶＲＢは、単一のＶＲＢナンバーｎＶＲＢが共に割り当てられる。
【０１１１】
ＶＲＢはＰＲＢと同じサイズを有することができる。２タイプのＶＲＢが定義されるが、第一のタイプはローカル型ＶＲＢ（Ｌｏｃａｌｉｚｅｄ  ＶＲＢ、ＬＶＲＢ）であり、第二のタイプは分散型ＶＲＢ（Ｄｉｓｔｒｉｂｕｔｅｄ  ＶＲＢ、ＤＶＲＢ）である。各タイプのＶＲＢについて、一対（ｐａｉｒ）のＶＲＢが単一のＶＲＢインデックス（以下、ＶＲＢナンバー（ｎｕｍｂｅｒ）という。）で１サブフレームの２個のスロットにわたって割り当てられる。言い換えると、一つのサブフレームを構成する２個のスロットのうち、第１のスロットに属する
【０１１２】
【化２２】
0005866124.tif 000026
【０１１３】
個のＶＲＢはそれぞれ、
【０１１４】
【化２３】
0005866124.tif 000027
【０１１５】
のいずれか一つのインデックス（Ｉｎｄｅｘ）を割り当てられ、上の２個のスロットのうちの第２のスロットに属する
【０１１６】
【化２４】
0005866124.tif 000028
【０１１７】
個のＶＲＢも同様、それぞれ、
【０１１８】
【化２５】
0005866124.tif 000029
【０１１９】
のいずれか一つのインデックスを割り当てられる。
【０１２０】
以下、一般の多重アンテナ（ＭＩＭＯ）技術を概略的に説明する。ＭＩＭＯとは、「Ｍｕｌｔｉ−Ｉｎｐｕｔ  Ｍｕｌｔｉ−Ｏｕｔｐｕｔ」の略語で、１個の送信アンテナと１個の受信アンテナを使用した既存の方法から脱皮し、多重送信アンテナ及び多重受信アンテナを採択し送受信データ効率を向上させることができる方法のことをいう。すなわち、無線通信システムの送信端あるいは受信端において多重アンテナを用いて容量増大あるいは性能改善を図る技術のことをいう。以下では、「ＭＩＭＯ」を「多重アンテナ」と称するものとする。
【０１２１】
多重アンテナ技術とは、一つの全体メッセージを受信するために単一アンテナ経路に依存せずに、複数のアンテナから受信されたデータ断片を一つに集めて完成する技術を応用したものを指す。これにより、特定範囲でデータ伝送速度を向上させたり、特定データ伝送速度に対してシステム範囲を増加させたりできる。
【０１２２】
次世代移動通信は、既存の移動通信に比べて遥かに高いデータ伝送率を要求することから、効率的な多重アンテナ技術が必須になると予想される。このような状況で、ＭＩＭＯ通信技術は、移動通信端末と中継機などに幅広く用いることができる次世代移動通信技術であり、かつデータ通信の拡大などによる限界状況に達した移動通信の伝送量限界を克服できる技術として関心を集めている。
【０１２３】
一方、現在研究されている様々な伝送効率向上技術のうち、送受信端の両方に多数のアンテナを用いる多重アンテナ（ＭＩＭＯ）技術は、追加の周波数の割当や電力増加なしにも通信容量及び送受信性能を画期的に向上させることができる方法として現在最も注目を受けている。
【０１２４】
図５は、一般の多重アンテナ（ＭＩＭＯ）通信システムの構成図である。
【０１２５】
図５に示すように、送信アンテナの数をＮＴ個、受信アンテナの数をＮＲ個と同時に増やすと、送信器や受信器のいずれか一方でのみ多数のアンテナを用いる場合とは違い、アンテナ数に比例して理論的なチャネル伝送容量が増加するので、伝送レートを向上させ、周波数効率を画期的に向上させることができる。チャネル伝送容量の増加による伝送レートは、一つのアンテナを用いる場合における最大伝送レート（Ｒｏ）に、下記のようなレート増加率（Ｒｉ）が掛けられた分だけ理論的に増加することができる。レート増加率（Ｒｉ）は、下記の数学式１のように示すことができる。
【０１２６】
【数１】
0005866124.tif 000030
【０１２７】
上述したような多重アンテナシステムにおける通信方法をより具体的な方法で説明するために数学的にモデリングすると、下記のように示すことができる。
【０１２８】
まず、図５に示すように、ＮＴ個の送信アンテナとＮＲ個の受信アンテナが存在するとしよう。
【０１２９】
まず、送信信号について説明すると、同図のようにＮＴ個の送信アンテナがある場合に、最大伝送可能な情報はＮＴ個であるから、これを下記の数学式２のようなベクトルで示すことができる。
【０１３０】
【数２】
0005866124.tif 000031
【０１３１】
一方、それぞれの伝送情報
【０１３２】
【化２６】
0005866124.tif 000032
【０１３３】
において伝送電力を異ならせることができ、この場合、それぞれの伝送電力を
【０１３４】
【化２７】
0005866124.tif 000033
【０１３５】
とすれば、伝送電力の調整された伝送情報は、下記の数学式３のようなベクトルで表すことができる。
【０１３６】
【数３】
0005866124.tif 000034
【０１３７】
また、
【０１３８】
【化２８】
0005866124.tif 000035
【０１３９】
を伝送電力の対角行列Ｐを用いて下記の数学式４のように示すことができる。
【０１４０】
【数４】
0005866124.tif 000036
【０１４１】
一方、伝送電力の調整された情報ベクトルは、以降、重み行列Ｗが掛けられて、実際に伝送されるＮＴ個の伝送信号
【０１４２】
【化２９】
0005866124.tif 000037
【０１４３】
を構成する。ここで、重み行列は、伝送情報を伝送チャネル状況などに応じて各アンテナに適切に分配する役割を果たす。このような伝送信号
【０１４４】
【化３０】
0005866124.tif 000038
【０１４５】
を、ベクトルｘを用いて、下記の数学式５のように示すことができる。
【０１４６】
【数５】
0005866124.tif 000039
【０１４７】
上記の数学式５で、ｗｉｊは、ｉ番目の送信アンテナとｊ番目の伝送情報間の重み値を表し、Ｗは、それを行列で表したものである。このような行列Ｗを重み行列（Ｗｅｉｇｈｔ  Ｍａｔｒｉｘ）またはプリコーディング行列（Ｐｒｅｃｏｄｉｎｇ  Ｍａｔｒｉｘ）と呼ぶ。
【０１４８】
一方、上述のような伝送信号（ｘ）は、空間ダイバーシティを用いる場合と空間マルチプレクシングを用いる場合とに分けて考えることができる。
【０１４９】
空間マルチプレクシングを用いる場合は、異なる信号を多重化して送るから、情報ベクトルｓの元素がいずれも異なる値を有する反面、空間ダイバーシティを用いる場合は、同じ信号を複数のチャネル経路を通じて送るから、情報ベクトルｓの元素はいずれも同一の値を有することとなる。
【０１５０】
もちろん、空間マルチプレクシングと空間ダイバーシティとを混合する方法も考慮することができる。すなわち、例えば、３個の送信アンテナを通じて同一の信号を空間ダイバーシティを用いて伝送し、残りは、それぞれ異なる信号を空間マルチプレクシングして送る場合も考慮することができる。次に、受信信号については、ＮＲ個の受信アンテナがある場合に、各アンテナの受信信号
【０１５１】
【化３１】
0005866124.tif 000040
【０１５２】
を、ベクトルｙを用いて、下記の数学式６のように示すことができる。
【０１５３】
【数６】
0005866124.tif 000041
【０１５４】
一方、多重アンテナ通信システムにおけるチャネルをモデリングする場合に、チャネルは送受信アンテナインデックスによって区別でき、送信アンテナｊから受信アンテナｉを経るチャネルをｈｉｊと表示するとする。ここで、ｈｉｊのインデックスの順序が、受信アンテナインデックスが先で、送信アンテナのインデックスが後ろであることに留意されたい。このようなチャネルは、複数個を一つにまとめてベクトル及び行列の形態で表示することも可能である。ベクトル表示を例にとって説明すると、下記の通りである。
【０１５５】
図６は、ＮＴ個の送信アンテナで受信アンテナｉへのチャネルを示す図である。
【０１５６】
図６に示すように、総ＮＴ個の送信アンテナから受信アンテナｉに到着するチャネルは、下記の数学式７のように表現可能である。
【０１５７】
【数７】
0005866124.tif 000042
【０１５８】
また、上記の数学式７のような行列表現を用いて、ＮＴ個の送信アンテナからＮＲ個の受信アンテナを経るチャネルの全てを、下記の数学式８のように示すことができる。
【０１５９】
【数８】
0005866124.tif 000043
【０１６０】
一方、実際のチャネルは、上記のようなチャネル行列Ｈを経た後に、白色雑音（ＡＷＧＮ：Ａｄｄｉｔｉｖｅ  Ｗｈｉｔｅ  Ｇａｕｓｓｉａｎ  Ｎｏｉｓｅ）が加えられるので、ＮＲ個の受信アンテナのそれぞれに加えられる白色雑音
【０１６１】
【化３２】
0005866124.tif 000044
【０１６２】
をベクトルで表現すると、下記の数学式９の通りである。
【０１６３】
【数９】
0005866124.tif 000045
【０１６４】
上述の伝送信号、受信信号、チャネル及び白色雑音のモデリングを通じて、多重アンテナ通信システムにおけるそれぞれは、下記の数学式１０のような関係により示すことができる。
【０１６５】
【数１０】
0005866124.tif 000046
【０１６６】
一方、チャネルの状態を示すチャネル行列Ｈの行（ｒｏｗ）と列（ｃｏｌｕｍｎ）の数は、送受信アンテナ数によって決定される。チャネル行列Ｈにおいて、上述したように、行の数は受信アンテナの数ＮＲと同一になり、列の数は送信アンテナの数ＮＴと同一になる。すなわち、チャネル行列Ｈは、ＮＲ×ＮＴの行列となる。
【０１６７】
一般に、行列のランク（ｒａｎｋ）は、互いに独立した（ｉｎｄｅｐｅｎｄｅｎｔ）行または列の個数のうちの最小の個数と定義される。そのため、行列のランクは、行または列の個数よりも大きくなることがない。数式的には、チャネル行列Ｈのランク（ｒａｎｋ（Ｈ））は、下記の数学式１１のように制限される。
【０１６８】
【数１１】
0005866124.tif 000047
【０１６９】
移動通信システムにおいて、送信端が受信端へパケット（あるいは信号）を伝送する時に、送信端が伝送するパケットは無線チャネルを通じて伝送されるため、伝送過程で信号の歪みが発生することがある。このように歪まれた信号を受信端で正しく受信するために、受信端は、チャネル情報を検出し、該チャネル情報に基づいて受信信号において歪みを補正することによって、正しい信号を受信することができる。このようにチャネルの情報を検出するためには、送信端と受信端の両方とも知っている信号を伝送する必要がある。すなわち、受信端で知っている信号がチャネルを通じて受信される時に、該信号の歪み度合をもってチャネルの情報を検出する方法を主に用いるが、この送信側と受信側の両方とも知っている信号を、参照信号またはパイロット信号（Ｐｉｌｏｔ  Ｓｉｇｎａｌ）という。
【０１７０】
従来は、送信端が受信端にパケットを伝送する時に、１個の送信アンテナと１個の受信アンテナを使用してきた。しかし、最近の大部分の移動通信システムでは、多重送信アンテナと多重受信アンテナを採択し、送受信データ効率を向上させる方法を用いている。移動通信システムの送信端あるいは受信端で容量増大、通信性能を改善するために多重アンテナを用いてデータを送受信する場合に、各送信アンテナ別に異なる参照信号が存在する。受信端は、知っている各送信アンテナ別参照信号を用いて、各送信アンテナからの信号を正しく受信することができる。
【０１７１】
移動通信システムにおいて参照信号はその目的によって２種類に大別することができる。参照信号には、チャネル情報獲得のためのものと、データ復調のために用いられるものとがある。前者は、端末がダウンリンクのチャネル情報を獲得できるようにするためのものであるから、広帯域に伝送される必要があり、かつ、特定サブフレームでダウンリンクデータを受信しない端末であっても、その参照信号を受信し測定可能でなければならない。また、このようなチャネル測定用参照信号は、ハンドオーバーの測定などのためにも用いることができる。後者は、基地局がダウンリンク信号を伝送する時に、該当のリソースで共に送る参照信号であって、端末は、当該参照信号を受信することによってチャネル推定ができ、よって、データを復調可能になる。このような復調用参照信号は、データの伝送される領域で伝送されなければならない。
【０１７２】
図７（ａ）及び図７（ｂ）は、移動通信システムの一例である３ＧＰＰ  ＬＴＥシステムにおける参照信号パターンを示す図であり、図７（ａ）は、一般ＣＰ（Ｃｙｃｌｉｃ  Ｐｒｅｆｉｘ）が適用された場合の参照信号パターンを示し、図７（ｂ）は、拡張されたＣＰが適用された場合の参照信号パターンを示す。
【０１７３】
移動通信システムの一例である３ＧＰＰ  ＬＴＥ  ｒｅｌｅａｓｅ−８システムでは、ユニキャストサービス（ｕｎｉｃａｓｔ  ｓｅｒｖｉｃｅ）のために２種類のダウンリンク参照信号が定義されている。チャネル状態に関する情報の獲得及びハンドオーバーなどの測定などに用いられる共通参照信号（Ｃｏｍｍｏｎ  Ｒｅｆｅｒｅｎｃｅ  Ｓｉｇｎａｌ、ＣＲＳ）と、データ復調のために用いられる専用参照信号（Ｄｅｄｉｃａｔｅｄ  Ｒｅｆｅｒｅｎｃｅ  Ｓｉｇｎａｌ、ＤＲＳ）（端末−特定（ＵＥ−ｓｐｅｃｉｆｉｃ）参照信号に該当する。）と呼ばれる２種類の参照信号がある。ＬＴＥ  ｒｅｌｅａｓｅ−８システムで端末−特定（ＵＥ−ｓｐｅｃｉｆｉｃ）参照信号は、データ復調用にのみ用いられ、ＣＲＳは、チャネル情報の獲得及びデータ復調といった２つの目的に用いられる。このＣＲＳは、セル−特定（ｃｅｌｌ−ｓｐｅｃｉｆｉｃ）参照信号であり、基地局は広帯域（ｗｉｄｅｂａｎｄ）にわたって毎サブフレームごとにＣＲＳを伝送する。セル−特定（Ｃｅｌｌ−ｓｐｅｃｉｆｉｃ）ＣＲＳは、基地局の伝送アンテナの個数によって最大４個のアンテナポートに対する参照信号が伝送される。
【０１７４】
図７（ａ）及び図７（ｂ）に示すように、４個のアンテナポートに対するＣＲＳ（１，２，３，４）（それぞれ、アンテナポート別の参照信号であるＲ０，Ｒ１，Ｒ２，Ｒ３を表す。）は、１ＲＢにおいて時間−周波数リソースが重ならないようにして割り当てられる。ＬＴＥシステムでＣＲＳが時間−周波数リソースにマッピングされる時に、周波数軸で一つのアンテナポートに対する参照信号は、６  ＲＥ（Ｒｅｓｏｕｒｃｅ  Ｅｌｅｍｅｎｔ）間隔にマッピングされて伝送される。１  ＲＢが周波数軸で１２個のＲＥで構成されているので、一つのアンテナポートに対するＲＥは、１  ＲＢ当たりに２  ＲＥが用いられる。
【０１７５】
図７（ａ）及び図７（ｂ）に示すように、ＤＲＳ（「Ｄ」と表示されている。）は、ＰＤＳＣＨの単一−アンテナポート伝送のために支援される。端末は、上位層から端末−特定（ＵＥ−ｓｐｅｃｉｆｉｃ）ＲＳが存在するか否かに関す情報などを受信することができる。データ復調が必要な場合は、端末−特定（ＵＥ−ｓｐｅｃｉｆｉｃ）ＲＳがリソース要素を通じて端末に伝送される。一方、リソースブロック（ＲＢ）へのＲＳマッピング規則は、下記の数学式１２乃至数学式１４のように示すことができる。下記の数学式１２は、ＣＲＳマッピング規則を示すためのものである。そして、数学式１３は、一般ＣＰが適用されるＤＲＳのマッピング規則を示すためのものであり、数学式１４は、拡張されたＣＰが適用されるＤＲＳのマッピング規則を示すためのものである。
【０１７６】
【数１２】
0005866124.tif 000048
【０１７７】
【数１３】
0005866124.tif 000049
【０１７８】
【数１４】
0005866124.tif 000050
【０１７９】
上記の数学式１２乃至数学式１４で、ｋ及びｐはそれぞれ、副搬送波インデックス及びアンテナポートを表す。
【０１８０】
【化３３】
0005866124.tif 000051
【０１８１】
はそれぞれ、ダウンリンクに割り当てられたＲＢの数、スロットインデックスの数、セルＩＤの数を表す。ＲＳの位置は、周波数ドメイン観点でＶｓｈｉｆｔ値によって異なってくる。
【０１８２】
次世代移動通信システムの標準である３ＧＰＰ  ＬＴＥ−Ａシステムでは、データ伝送率の向上のために、既存システムでは支援しなかったＣｏＭＰ（Ｃｏｏｒｄｉｎａｔｅｄ  Ｍｕｌｔｉ  Ｐｏｉｎｔ）方式、マルチユーザ−ＭＩＭＯ（ＭＵ−ＭＩＭＯ）方式を支援すると予想される。ここで、ＣｏＭＰシステムは、陰影地域に位置している端末及び基地局（セルまたはセクター）間の通信性能を向上させるために、２以上の基地局あるいはセルが互いに協力して端末と通信するシステムのことをいう。
【０１８３】
ＣｏＭＰ方式は、データ共有を通じた協力的ＭＩＭＯ形態のジョイントプロセシング（ＣｏＭＰ−Ｊｏｉｎｔ  Ｐｒｏｃｅｓｓｉｎｇ、ＣｏＭＰ−ＪＰ）と、協力スケジューリング／ビームフォーミング（ＣｏＭＰ−Ｃｏｏｒｄｉｎａｔｅｄ  Ｓｃｈｅｄｕｌｉｎｇ／ｂｅａｍｆｏｒｍｉｎｇ、ＣｏＭＰ−ＣＳ／ＣＢ）方式とに区別することができる。
【０１８４】
ダウンリンクにおいて、ジョイントプロセシング（ＣｏＭＰ−ＪＰ）方式によれば、端末は、ＣｏＭＰを行う各基地局からデータを瞬間的に同時に受信することができ、各基地局から受信した信号を結合して受信性能を向上させることができる。これに対して、協力スケジューリング／ビームフォーミング方式（ＣｏＭＰ−ＣＳ）によれば、端末は、ビームフォーミングによりデータを瞬間的に一つの基地局から受信することができる。
【０１８５】
アップリンクでは、ジョイントプロセシング（ＣｏＭＰ−ＪＰ）方式によれば、各基地局は、端末からＰＵＳＣＨ信号を同時に受信することができる。一方、協力スケジューリング／ビームフォーミング方式（ＣｏＭＰ−ＣＳ）によれば、一つの基地局のみがＰＵＳＣＨを受信する。この時、協力スケジューリング／ビームフォーミング方式を用いるとの決定は、協力セル（あるいは基地局）により決定される。
【０１８６】
ＭＵ−ＭＩＭＯ技術は、基地局が各アンテナリソースを、異なる端末に割り当てる方式を指し、アンテナ別に高速データ伝送率が可能な端末を選択してスケジューリングする。このようなＭＵ−ＭＩＭＯ方式は、システム処理率（ｓｙｓｔｅｍ  ｔｈｒｏｕｇｈｐｕｔ）を向上させることができる。
【０１８７】
図８は、ＳＲＳシンボルを含むアップリンクサブフレーム構成の一例を示す図である。
【０１８８】
図８を参照すると、サウンディング参照信号（Ｓｏｕｎｄｉｎｇ  Ｒｅｆｅｒｅｎｃｅ  Ｓｉｇｎａｌ、ＳＲＳ）は、アップリンクデータ及び／または制御情報の伝送とは関連がなく、主にアップリンク上で周波数−選択的スケジューリングが可能なようにチャネル品質を評価するのに用いられる。しかし、ＳＲＳは、近年、スケジューリングされていない端末に対しては、様々な機能を提供したり、電力制御を向上させたりするなどの他の目的にも用いられている。ＳＲＳは、アップリンクチャネル測定に用いられる参照信号、すなわち、各端末が基地局に伝送するパイロット信号であって、各端末から基地局までのチャネル状態を基地局が推定するのに用いられる。ＳＲＳを伝送するチャネルは、各端末状態に応じて各端末ごとに異なる伝送帯域幅及び伝送周期を有することができる。チャネル推定結果に基づいて、基地局は毎サブフレームごとに、ある端末のデータチャネルをスケジューリングするか否かを決定することができる。
【０１８９】
無線チャネルはアップリンク及びダウンリンク間に相互的関係（ｒｅｃｉｐｒｏｃａｌ）有するという仮定下で、ＳＲＳを、ダウンリンクチャネル品質を推定するのに用いることができる。
このような仮定は、アップリンクとダウンリンクが同じ周波数領域を共有し、時間領域では分離された時間分割デュプレックス（Ｔｉｍｅ  Ｄｉｖｉｓｉｏｎ  Ｄｕｐｌｅｘ、ＴＤＤ）システムにおいて有効である。セル内の端末によりＳＲＳが伝送されるサブフレームは、セル−特定（ｃｅｌｌ−ｓｐｅｃｉｆｉｃ）放送シグナリングにより指示することができる。４ビット大きさのセル−特定‘ｓｒｓｓｕｂｆｒａｍｅＣｏｎｆｉｇｕｒａｔｉｏｎ’パラメータが、各無線フレーム内でＳＲＳが伝送されうる１５個の可能なサブフレームセットを指示する。このような構成は、ＳＲＳオーバーヘッドの調整において柔軟性を提供する。図９に示すように、端末は、構成されたサブフレームにおいて最後のＳＣ−ＦＤＭＡシンボルを通じてＳＲＳを伝送することができる。
【０１９０】
そのため、ＳＲＳ及びデータ復調用参照信号（ＤｅＭｏｄｕｌａｔｉｏｎ−Ｒｅｆｅｒｅｎｃｅ  Ｓｉｇｎａｌ、ＤＭ−ＲＳ）は、サブフレームにおいて異なるＳＣ−ＦＤＭＡシンボルに位置する。同じサブフレームの最後のＳＣ−ＦＤＭＡで伝送される複数の端末のサウンディング参照信号は、周波数位置によって区別可能である。端末のＰＵＳＣＨデータは、ＳＲＳのために設計されたＳＣ−ＦＤＭＡシンボルを通じては伝送されず、最悪の場合は、毎サブフレームごとにＳＲＳシンボルを有することから、７％のサウンディングオーバーヘッドが生じることもある。
【０１９１】
ＳＲＳは、ＣＡＺＡＣ（Ｃｏｎｓｔａｎｔ  Ａｍｐｌｉｔｕｄｅ  Ｚｅｒｏ  Ａｕｔｏ  Ｃｏｒｒｅｌａｔｉｏｎ）シーケンスなどにより生成され、複数の端末から伝送されたサウンディング参照信号は、下記の数学式１５による異なる巡回シフト（ｃｙｃｌｉｃ  ｓｈｉｆｔ）値（α）を有するＣＡＺＡＣシーケンス
【０１９２】
【化３４】
0005866124.tif 000052
【０１９３】
である。ここで、
【０１９４】
【化３５】
0005866124.tif 000053
【０１９５】
は、ＳＲＳシーケンスである。
【０１９６】
【数１５】
0005866124.tif 000054
【０１９７】
ここで、
【０１９８】
【化３６】
0005866124.tif 000055
【０１９９】
は、上位層によって各端末に設定される値を表し、０〜７の整数値を有する。一つのＣＡＺＡＣシーケンスから巡回シフトにより生成されたＣＡＺＡＣシーケンスはそれぞれ、自身と異なる巡回シフト値を有するシーケンスと零の相関値（ｚｅｒｏ−ｃｏｒｒｅｌａｔｉｏｎ）を有する特性がある。このような特性を用いて、同じ周波数領域におけるＳＲＳは、ＣＡＺＡＣシーケンス巡回シフト値によって区別可能である。各端末のＳＲＳは、基地局で設定するパラメータに基づいて周波数上に割り当てられる。端末は、アップリンクデータ伝送帯域幅全体を通じてＳＲＳを伝送できるように、サウンディング参照信号の周波数ホッピング（ｈｏｐｐｉｎｇ）を行う。
【０２００】
上述したように、３ＧＰＰ  ＬＴＥ  Ｒｅｌｅａｓｅ  ８／９システムの場合に、端末のＳＲＳ伝送としては周期的ＳＲＳ伝送のみを支援し、これを通じて基地局は各端末のアップリンクチャネル品質を推定することができる。この時、基地局の推定したチャネルは、周波数依存スケジューリング（ｆｒｅｑｕｅｎｃｙ  ｄｅｐｅｎｄｅｎｔ  ｓｃｈｅｄｕｌｉｎｇ）、リンクレベル適応（ｌｉｎｋ  ｌｅｖｅｌ  ａｄａｐｔａｔｉｏｎ）、タイミング推定（ｔｉｍｉｎｇ  ｅｓｔｉｍａｔｉｏｎ）、及びアップリンク電力制御（ＵＬ  ｐｏｗｅｒ  ｃｏｎｔｒｏｌ）などの機能のために用いられる。基地局は、ＳＲＳアップリンク構成（ｃｏｎｆｉｇｕｒａｔｉｏｎ）を、ＳＲＳパラメータを用いて、端末−特定（ＵＥ−ｓｐｅｃｉｆｉｃ）にまたはセル−特定（Ｃｅｌｌ−ｓｐｅｃｉｆｉｃ）に上位層シグナリング（例えば、ＲＲＣシグナリング）などを通じて各端末に伝送することができる。下記の表４のように、基地局は端末にＳＲＳアップリンク構成情報をＳＲＳアップリンク構成情報要素（Ｉｎｆｏｒｍａｔｉｏｎ  Ｅｌｅｍｅｎｔ）メッセージのタイプで知らせることができる。
【０２０１】
【表４】
0005866124.tif 000056
【０２０２】
下記の表５は、上記の表４でＳｏｕｎｄｉｎｇＲＳ−ＵＬ−Ｃｏｎｆｉｇ  ｉｎｆｏｒｍａｔｉｏｎ  ｅｌｅｍｅｎｔメッセージタイプに含まれたＳＲＳ構成パラメータを示すものである。
【０２０３】
【表５】
0005866124.tif 000057
【０２０４】
表４及び表５を参照すると、基地局が端末に知らせるＳＲＳ構成情報（ＳＲＳ  ｃｏｎｆｉｇｕｒａｔｉｏｎ  ｉｎｆｏｒｍａｔｉｏｎ）は、ＳＲＳ構成パラメータとして、ｓｒｓＢａｎｄｗｉｄｔｈＣｏｎｆｉｇｕｒａｔｉｏｎパラメータ、ｓｒｓｓｕｂｆｒａｍｅＣｏｎｆｉｇｕｒａｔｉｏｎパラメータ、ｓｒｓＢａｎｄｗｉｄｔｈパラメータ、ｆｒｅｑｕｅｎｃｙＤｏｍａｉｎＰｏｓｉｔｉｏｎパラメータ、ＳｒｓＨｏｐｐｉｎｇＢａｎｄｗｉｄｔｈパラメータ、ｄｕｒａｔｉｏｎパラメータ、ｓｒｓＣｏｎｆｉｇｕｒａｔｉｏｎＩｎｄｅｘパラメータ、ｔｒａｎｓｍｉｓｓｉｏｎＣｏｍｂパラメータを含むことができる。ｓｒｓＢａｎｄｗｉｄｔｈＣｏｎｆｉｇｕｒａｔｉｏｎパラメータは、セルでの最大ＳＲＳ帯域幅情報を表し、ｓｒｓｓｕｂｆｒａｍｅＣｏｎｆｉｇｕｒａｔｉｏｎパラメータは、セルで端末がＳＲＳを伝送するサブフレームセット情報を表す。基地局は、ｓｒｓｓｕｂｆｒａｍｅＣｏｎｆｉｇｕｒａｔｉｏｎパラメータを端末にセル−特定（ｃｅｌｌ−ｓｐｅｃｉｆｉｃ）シグナリングで知らせることができる。表４に示すように、基地局は、ｓｒｓｓｕｂｆｒａｍｅＣｏｎｆｉｇｕｒａｔｉｏｎパラメータを４ビット大きさ（ｓｃ０、ｓｃ１、ｓｃ２、ｓｃ３、ｓｃ４、ｓｃ５、ｓｃ６、ｓｃ７、ｓｃ８、ｓｃ９、ｓｃ１０、ｓｃ１１、ｓｃ１２、ｓｃ１３、ｓｃ１４、ｓｃ１５を指示）で端末にシグナリングすることができる。ｓｒｓＢａｎｄｗｉｄｔｈパラメータは、端末のＳＲＳ伝送帯域幅を表し、ｆｒｅｑｕｅｎｃｙＤｏｍａｉｎＰｏｓｉｔｉｏｎパラメータは、周波数領域の位置を表し、ＳｒｓＨｏｐｐｉｎｇＢａｎｄｗｉｄｔｈパラメータは、ＳＲＳ周波数ホッピング大きさ、ｄｕｒａｔｉｏｎパラメータは、一回のＳＲＳ伝送であるか、周期的ＳＲＳ伝送であるかを表し、ｓｒｓＣｏｎｆｉｇｕｒａｔｉｏｎＩｎｄｅｘパラメータは、ＳＲＳの周期性（Ｐｅｒｉｏｄｉｃｉｔｙ）及びサブフレームオフセット（例えば、フレームの最初のサブフレームから、１番目のＳＲＳが伝送されるサブフレームまでの時間単位を表す。）を指示し、ｔｒａｎｓｍｉｓｓｉｏｎＣｏｍｂパラメータは、伝送ｃｏｍｂオフセットを表す。
【０２０５】
基地局は、ｓｒｓＢａｎｄｗｉｄｔｈＣｏｎｆｉｇｕｒａｔｉｏｎパラメータ及びｓｒｓｓｕｂｆｒａｍｅＣｏｎｆｉｇｕｒａｔｉｏｎパラメータをセル−特定シグナリングで端末に知らせることができる。一方、基地局は、ｓｒｓＢａｎｄｗｉｄｔｈパラメータ、ｆｒｅｑｕｅｎｃｙＤｏｍａｉｎＰｏｓｉｔｉｏｎパラメータ、ＳｒｓＨｏｐｐｉｎｇＢａｎｄｗｉｄｔｈパラメータ、ｄｕｒａｔｉｏｎパラメータ、ｓｒｓＣｏｎｆｉｇｕｒａｔｉｏｎＩｎｄｅｘパラメータ、ｔｒａｎｓｍｉｓｓｉｏｎＣｏｍｂパラメータを端末別に端末−特定（ＵＥ−ｓｐｅｃｉｆｉｃ）シグナリングを通じて知らせることができる。
【０２０６】
３ＧＰＰ  ＬＴＥ  Ｒｅｌｅａｓｅ１０システムは、既存システムに比べて、より適応的な（ａｄａｐｔｉｖｅ）アップリンクチャネル品質推定及び効率的なＳＲＳリソース使用のために、非周期的（ａｐｅｒｉｏｄｉｃ）ＳＲＳ伝送を支援する。非周期的ＳＲＳ伝送のトリガリング（ｔｒｉｇｇｅｒｉｎｇ）方法については現在も議論中であり、例えば、基地局がＰＤＣＣＨ内のＤＬ／ＵＬ  ｇｒａｎｔによってトリガリングすることができる。すなわち、基地局が端末の非周期的ＳＲＳ伝送をトリガリングする非周期的ＳＲＳ伝送トリガリング指示子を含むＤＬ  ｇｒａｎｔまたはＵＬ  ｇｒａｎｔを通じて伝送したり、または、新しいメッセージフォーマットと定義して伝送することができる。本発明では、端末の非周期的ＳＲＳ伝送をトリガリングするメッセージを、非周期的ＳＲＳトリガリンググラント（あるいは、非周期的ＳＲＳトリガリング指示子など）とし、これを基準に以下に説明する。
【０２０７】
本発明で、基地局は端末に上位層シグナリング（ｈｉｇｈｅｒ  ｌａｙｅｒ  ｓｉｇｎａｌｉｎｇ）を通じて多数の（ｍｕｌｔｉｐｌｅ）非周期的ＳＲＳ構成（ｃｏｎｆｉｇｕｒａｔｉｏｎ）に関する情報を与えることができる。基地局が伝送する多数の非周期的ＳＲＳ構成情報は、非周期的ＳＲＳトリガリンググラントが受信されたサブフレームインデックス情報や非周期的ＳＲＳトリガリンググラントの受信サブフレームとこれに対応する非周期的ＳＲＳ伝送サブフレームとの時間関係、非周期的ＳＲＳ伝送のためのリソースに関する情報などを含むことができる。本発明では、端末が多数の非周期的ＳＲＳ構成を選択的に適用する方式を提案する。特に、端末は非周期的ＳＲＳトリガリンググラントが受信されたサブフレームインデックス情報や非周期的ＳＲＳトリガリンググラントの受信サブフレームとこれに対応する非周期的ＳＲＳ伝送サブフレームとの時間関係を用いて、非周期的ＳＲＳ構成（ｃｏｎｆｉｇｕｒａｔｉｏｎ）を適応的にスイッチングすることができる。
【０２０８】
ここで、非周期的ＳＲＳ構成の個数は、非周期的ＳＲＳトリガリンググラント到着時点のサブフレームインデックス分類基準や、非周期的ＳＲＳトリガリンググラントの受信サブフレームとこれに対応する非周期的ＳＲＳ伝送サブフレーム間の時間関係の定義によって異なることがあるこのような本発明で提案する方式は、非周期的ＳＲＳ構成スイッチングのための追加的なシグナリングオーバーヘッドを要求しない長所があり、かつ適応的な非周期的ＳＲＳ構成スイッチングを用いて、ＳＲＳカバレッジの問題と同一チャネルの異種網（ｃｏ−ｃｈａｎｎｅｌ  ＨｅｔＮｅｔ（Ｈｅｔｅｒｏｇｅｎｅｏｕｓ  Ｎｅｔｗｏｒｋ））におけるアップリンク信号干渉の問題を效率的に解決することができる。
【０２０９】
まず、上記の提案した方式の非周期的ＳＲＳを伝送するためのリソースとして、３ＧＰＰ  ＬＴＥ  Ｒｅｌｅａｓｅ  ８／９システムで定義する、セル別に特定したセル−特定（ｃｅｌｌ−ｓｐｅｃｉｆｉｃ）周期的ＳＲＳリソース、端末−特定非周期的リソース及び端末−特定（ＵＥ−ｓｐｅｃｉｆｉｃ）周期的ＳＲＳリソースを再使用することを考慮することができる。そのため、このような方式は、新しい追加の非周期的ＳＲＳリソースを定義する方式に比べて、ＳＲＳリソース位置情報をシグナリングするのに必要なオーバーヘッドが少なく、効率的なＳＲＳリソース使用が可能である。
【０２１０】
基地局が上位層シグナリングを通じて伝送する非周期的ＳＲＳ構成は、ＳＲＳ帯域幅、ｃｏｍｂ、ホッピング帯域幅、開始物理リソースブロック（ＰＲＢ）割当などのパラメータを互いに異なる値にすることで、様々に定義することができる。
【０２１１】
上記提案した方式は、非周期的ＳＲＳトリガリンググラントを通じて、単純に非周期的ＳＲＳを伝送するか否かのみを決定するのではなく、端末が多数の非周期的ＳＲＳ構成を適応的にスイッチングすることで、基地局と端末間のアップリンクチャネル状態の変化にさらに效率的に対応できるようにする利点がある。特に、ＨｅｔＮｅｔのような状況では、端末の位置に従って適切な非周期的ＳＲＳ構成が異なってくることがある。これをカバーするためには、基地局は端末に、多数の非周期的ＳＲＳ構成と、非周期的ＳＲＳ構成に加えて多数の非周期的ＳＲＳ構成のリソースに関する情報を与え、端末のプロセッサ２５５がそれらのいずれか一つを適切に選択して動作する必要がある。例えば、端末は、ＵＬ  ｇｒａｎｔ（例えば、非周期的ＳＲＳ伝送をトリガリングするＵＬ  ｇｒａｎｔまたはＰＵＳＣＨ伝送をトリガリングするＵＬ  ｇｒａｎｔ）を含むＰＤＣＣＨが受信されるタイミングにしたがって、当該ＰＤＣＣＨが受信されるサブフレームにまとめられている（ｔｉｅｄ）非周期的ＳＲＳ構成を用いることができる。
【０２１２】
以下では、端末の非周期的ＳＲＳ伝送時点について説明する。端末が特定フレームのサブフレームｎ（すなわち、サブフレームインデックスがｎであるサブフレーム）で非周期的ＳＲＳトリガリンググラントを受信したとすれば、端末の非周期的ＳＲＳ伝送時点は、例えば、サブフレームｎから最も近接したセル−特定周期的ＳＲＳサブフレーム、またはサブフレームｎ＋３以後から最も近接したセル−特定周期的ＳＲＳサブフレームになりうる。このようなセル−特定周期的ＳＲＳリソースだけでなく、端末は、端末−特定非周期的ＳＲＳリソース及び端末−特定周期的ＳＲＳリソースを通じても非周期的ＳＲＳ伝送を行うことができる。しかし、これに制限されるものではない。
【０２１３】
また、異なる端末の非周期的ＳＲＳ伝送時点が重なり、使用可能な非周期的ＳＲＳリソースが足りない場合は、各端末の非周期的ＳＲＳ帯域幅、周期的ＳＲＳの伝送周期などの要素を考慮して非周期的ＳＲＳ伝送に優先順位を付与することができる。
【０２１４】
図９Ａ及び図９Ｂはそれぞれ、セル−特定（ｃｅｌｌ−ｓｐｅｃｉｆｉｃ）周期的ＳＲＳ伝送のためのサブフレームの一例、及び端末−特定（ＵＥ−ｓｐｅｃｉｆｉｃ）周期的ＳＲＳ伝送のためのサブフレームの一例を示す図である。
【０２１５】
図９Ａを参照すると、基地局は、セル−特定周期的ＳＲＳ構成として、２ｍｓ周期に周期的ＳＲＳサブフレーム（サブフレーム１、３、５、７、９）（図９Ａで斜線でハッチングされたサブフレーム領域）を構成することができる。
【０２１６】
図９Ｂを参照すると、端末−特定周期的ＳＲＳ構成において、基地局は、セル−特定周期的ＳＲＳサブフレームで構成されたサブフレームセットの一部セットを、端末−特定周期的ＳＲＳサブフレームとして特定端末に割り当てることができる。図９Ｂでは、例えば、基地局が特定端末に端末−特定周期的ＳＲＳ構成として、４ｍｓ周期に周期的ＳＲＳサブフレーム（サブフレーム１、５、９）を割り当てている。この場合、基地局から端末−特定周期的ＳＲＳサブフレームを割り当てられた特定端末は、サブフレームインデックス１、５、９のサブフレーム（図９Ｂでドットでハッチングされたサブフレーム領域）で周期的端末−特定ＳＲＳを伝送することができる。
【０２１７】
図１０Ａ乃至図１０Ｃはそれぞれ、非周期的ＳＲＳトリガリンググラントを受信するサブフレームとこれに対応する非周期的ＳＲＳ伝送サブフレームとの時間関係を用いて、多数のＳＲＳ構成を動的に選択する動作の一例を示す。
【０２１８】
図１０Ａ乃至図１０Ｃでは、基地局が、サブフレーム１、３、５、７、９をセル−特定周期的ＳＲＳサブフレームとして構成し、サブフレーム１、５、９を、特定端末に対して端末−特定周期的ＳＲＳサブフレームとして構成したとする。
【０２１９】
基地局は、多数の非周期的ＳＲＳ構成を設定し、これを端末に知らせることができる。これらの非周期的ＳＲＳ構成をそれぞれ、第１の非周期的ＳＲＳ構成、第２の非周期的ＳＲＳ構成と示す。このような多数の非周期的ＳＲＳ構成に関する情報は、基地局が端末に上位層シグナリングなどを通じて知らせることとなる。そして、このような非周期的ＳＲＳ構成に関する情報は、端末が非周期的ＳＲＳを伝送する時点に関する情報と、非周期的ＳＲＳ伝送のためのリソースに関する情報を含むことができる。特に、端末が非周期的ＳＲＳを伝送する時点は、一例として、非周期的ＳＲＳトリガリンググラントを受信したサブフレーム（ｎ）から最も近い（あるいは、早い）セル−特定周期的ＳＲＳサブフレーム、またはサブフレームｎ＋３以降から最も早いセル−特定周期的ＳＲＳサブフレームセルとすることができる。また、セル−特定周期的ＳＲＳリソースだけでなく、端末−特定非周期的ＳＲＳリソース及び端末−特定周期的ＳＲＳリソースを通じて非周期的ＳＲＳが伝送されてもよい。本発明では、非周期的ＳＲＳ構成が、端末が非周期的ＳＲＳを伝送する時点を、非周期的ＳＲＳトリガリンググラントを受信したサブフレーム（サブフレームｎ）から最も近いセル−特定周期的ＳＲＳサブフレームに設定したと仮定して説明する。また、図９Ａに示すように、セル−特定周期的ＳＲＳ伝送サブフレームは、一例として、２ｍｓの周期に設定されるとして説明する。
【０２２０】
第２の非周期的ＳＲＳ構成は、端末がサブフレームｎ（ｎ＝１、２、…）で受信した非周期的ＳＲＳトリガリンググラントに対して非周期的ＳＲＳをサブフレームｎ＋２で伝送するものである。第１の非周期的ＳＲＳ構成は、端末がサブフレームｎ＋１で受信した非周期的ＳＲＳトリガリンググラントに対して非周期的ＳＲＳをサブフレームｎ＋２で伝送するものである。このように、端末のプロセッサ２５５は、非周期的ＳＲＳトリガリンググラントを受信するサブフレームとこれに対応する非周期的ＳＲＳ伝送サブフレームとの時間関係に基づいて、多数のＳＲＳ構成から特定ＳＲＳ構成を選択でき、選択したＳＲＳ構成動作を行うことができる。ここで、３ＧＰＰ  ＬＴＥ、ＬＴＥ−Ａシステムではフレームが１０個のサブフレームを含み、１フレーム内に含まれた各サブフレームのインデックスを１から１０まで付与したと仮定する。
【０２２１】
図１０Ａを参照すると、第２の非周期的ＳＲＳ構成として、非周期的ＳＲＳトリガリンググラントを受信するサブフレームとこれに対応する非周期的ＳＲＳ伝送サブフレームとの時間関係（すなわち、非周期的ＳＲＳトリガリンググラントを受信するサブフレームとこれに対応する非周期的ＳＲＳ伝送サブフレームとのインデックス差）が２の場合は、端末は、サブフレームｎ（ｎ＝１，２，…）で受信した非周期的ＳＲＳトリガリンググラントに対して非周期的ＳＲＳをサブフレームｎ＋２で伝送するものの（この場合には、非周期的ＳＲＳトリガリンググラント受信時点と非周期的ＳＲＳを伝送する時点との時間差が２）、この時、部分帯域（一例として、サブフレームｎ＋２の周波数軸上での部分帯域）を通じて伝送するように構成することができる。すなわち、端末がサブフレーム１で非周期的ＳＲＳ伝送トリガリンググラントを受信し、サブフレーム３で非周期的ＳＲＳを伝送するように構成されると、端末は、サブフレーム３の部分−帯域（１０１０）を通じて非周期的ＳＲＳを伝送することができる。同様に、端末がサブフレーム５で非周期的ＳＲＳ伝送トリガリンググラントを受信し、サブフレーム７で非周期的ＳＲＳを伝送するように構成されると、端末は、サブフレーム７の部分−帯域（１０２０）を通じて非周期的ＳＲＳを伝送することができる。
【０２２２】
一方、図１０Ｂを参照すると、第１の非周期的ＳＲＳ構成として、非周期的ＳＲＳトリガリンググラントを受信するサブフレームとこれに対応する非周期的ＳＲＳ伝送サブフレームとの時間関係（すなわち、非周期的ＳＲＳトリガリンググラントを受信するサブフレームとこれに対応する非周期的ＳＲＳ伝送サブフレームとのインデックス差）が１の場合は、端末がサブフレームｎ＋１（ｎ＝１、２、…）で受信した非周期的ＳＲＳトリガリンググラントに対して非周期的ＳＲＳをサブフレームｎ＋２で伝送するものの、この時、全体帯域（一例として、サブフレームｎ＋２の周波数軸上での全体帯域）（１０３０，１０４０）を通じて伝送するように構成することができる
ここで、部分−帯域ＳＲＳ伝送動作とは、端末が、ＳＲＳ伝送のために割り当てられたサブフレームの帯域で一部帯域のみを用いてＳＲＳを伝送することを指し、全体−帯域ＳＲＳ伝送動作とは、端末が、ＳＲＳ伝送のために割り当てられたサブフレームの帯域で全体帯域を用いてＳＲＳを伝送することを指す。
【０２２３】
全体帯域（Ｆｕｌｌ−ｂａｎｄ）非周期的ＳＲＳ伝送は、主に、基地局と端末間のアップリンクチャネル状態が良好な時に選択可能であるが、例えば、基地局に隣接した端末、またはマクロ基地局（ＭｅＮＢ）と同じ伝送帯域を用いるホーム基地局（ＨｅＮＢ）から遠く離れているマクロ端末（ＭＵＥ）が全体帯域（Ｆｕｌｌ−ｂａｎｄ）非周期的ＳＲＳ伝送動作を行うことができる。一方、部分−帯域（ｐａｒｔｉａｌ−ｂａｎｄ）非周期的ＳＲＳ伝送動作は、基地局と端末間のアップリンクチャネル状態がよくない時に選択可能であるが、例えば、セルのエッジに位置している端末や、マクロ基地局と同じ伝送帯域を用いるホーム基地局の領域内または近くに位置してアップリンク信号を伝送するマクロ端末が、部分−帯域（ｐａｒｔｉａｌ−ｂａｎｄ）非周期的ＳＲＳ伝送動作を行うことができる。
【０２２４】
端末のプロセッサ２５５は、現在ネットワーク状況、通信環境、非周期的ＳＲＳトリガリンググラント受信時点などに基づいて柔軟に、上記提案された第１の非周期的ＳＲＳ構成と第２の非周期的ＳＲＳ構成を適応的にスイッチングすることで、ＳＲＳカバレッジの問題と同一チャネル異種網（ｃｏ−ｃｈａｎｎｅｌ  ＨｅｔＮｅｔ）のアップリンク信号干渉の問題を效率的に対処することができる。
【０２２５】
特に、図１０Ａに示す第２の非周期的ＳＲＳ構成は、部分−帯域（ｐａｒｔｉａｌ−ｂａｎｄ）非周期的ＳＲＳ伝送方式であって、周波数ホッピング部分−帯域（ｆｒｅｑｕｅｎｃｙ  ｈｏｐｐｉｎｇ  ｐａｒｔｉａｌ−ｂａｎｄ）（１０１０，１０２０）を通じた伝送方式である。これにより、端末は自身の伝送パワーを全体ＳＲＳリソース領域の一部分に集中することによって、ＳＲＳカバレッジの問題を效果的に解決することができる。
【０２２６】
図１０Ｂに示す第１の非周期的ＳＲＳ構成によって、端末がサブフレーム２で非周期的ＳＲＳ伝送トリガリンググラントを受信し、サブフレーム３で非周期的ＳＲＳを伝送するように構成されると、端末は、サブフレーム３の全体−帯域（１０３０）を通じて非周期的ＳＲＳを伝送することができる。同様に、端末が、サブフレーム６で非周期的ＳＲＳ伝送トリガリンググラントを受信し、サブフレーム７で非周期的ＳＲＳを伝送するように構成されると、端末は、サブフレーム７の全体−帯域（１０４０）を通じて非周期的ＳＲＳを伝送することができる。
【０２２７】
図１０Ｃに示す非周期的ＳＲＳ構成は、第２の非周期的ＳＲＳ構成と同様に、部分−帯域（ｐａｒｔｉａｌ−ｂａｎｄ）非周期的ＳＲＳ伝送方式と設定されるが、同一チャネル異種網（ｃｏ−ｃｈａｎｎｅｌ  ＨｅｔＮｅｔ）のアップリンク信号干渉の問題を解決するために、周波数−ホッピングしない方式とすることができる。ここで、マクロ端末とホーム端末のアップリンク信号伝送帯域を、互いに直交する固定された部分−帯域（１０５０、１０６０）に指定する。
【０２２８】
また、第１の非周期的ＳＲＳ構成と第２の非周期的ＳＲＳ構成はそれぞれ、図１０Ａ及び図１０Ｂ、または図１０Ｂ及び図１０Ｃの組み合わせのいずれかと定義されてもよく、基地局は、定義された組み合わせの情報及び／または選択された組み合わせの情報を上位層シグナリングを通じて端末に伝達することができる。
【０２２９】
図１１は、非周期的ＳＲＳトリガリンググラント到着時点のサブフレームインデックス分類に対して異なる基準を適用した場合における非周期的ＳＲＳ動作を説明するための図である。
【０２３０】
図１１を参照すると、基地局は、セル−特定周期的ＳＲＳサブフレームとしてサブフレーム１、３、５、７、９を割り当て、特定端末に端末−特定周期的ＳＲＳサブフレームとしてサブフレーム１、５、９を割り当てたとしよう。図１１に示す非周期的ＳＲＳ構成によって、端末のプロセッサ２５５は、多数のＳＲＳ構成から、非周期的ＳＲＳトリガリンググラントが到着したサブフレームのインデックスが奇数であれば（ｎ＝１、３、５、９）（この場合、最初のサブフレームをサブフレームインデックス１とする。）、上記の第１の非周期的ＳＲＳ構成を選択でき、非周期的ＳＲＳトリガリンググラントが到着したサブフレームのインデックスが偶数であれば、上記の第２の非周期的ＳＲＳ構成を選択することができる。
【０２３１】
例えば、端末が奇数インデックスサブフレームであるサブフレーム１で非周期的ＳＲＳ伝送トリガリンググラントを受信すると、サブフレーム１から最も近いセル−特定周期的ＳＲＳサブフレームであるサブフレーム３で全体−帯域（１１１０）を通じて非周期的ＳＲＳを伝送することができる。また、端末が偶数インデックスサブフレームであるサブフレーム６で非周期的ＳＲＳ伝送トリガリンググラントを受信すると、端末は、最も近接しているセル−特定周期的ＳＲＳサブフレームであるサブフレーム７で部分−帯域（１１２０）を通じて非周期的ＳＲＳを伝送することができる。
【０２３２】
図１１の他の実施の形態として、基地局が特定フレームで特定端末に割り当てた端末−特定（ＵＥ−ｓｐｅｃｉｆｉｃ）周期的ＳＲＳサブフレームインデックスがｎ（例えば、ｎ＝１、５、９）であるとすれば、非周期的ＳＲＳトリガリンググラントが受信されたサブフレームを、ｎ−４時点のサブフレームまたはｎ−４時点以外のサブフレームと区別する方式である。ここで、ｎ−４時点に対する定義は、他の値に様々に指定可能である。図１１で、端末が非周期的ＳＲＳトリガリンググラントをサブフレームインデックス１のサブフレーム（すなわち、最初のサブフレーム（サブフレーム１））で受信すると、サブフレーム１は、サブフレームインデックス５のサブフレーム（すなわち、サブフレーム５）のｎ−４時点のサブフレームに該当するので、端末は、この時、サブフレーム１に後続する最も近い（あるいは、早い）セル−特定周期的ＳＲＳサブフレームであるサブフレーム３で全体−帯域（ｆｕｌｌ−ｂａｎｄ）（１１１０）を通じてＳＲＳ伝送動作を行うことができる。また、端末がサブフレームインデックス６のサブフレーム（すなわち、サブフレーム６）で非周期的ＳＲＳトリガリンググラントを受信すると、サブフレーム６は、サブフレームインデックス９のサブフレーム（すなわち、サブフレーム９）のｎ−４時点のサブフレームでないので、端末は、サブフレーム６から最も近いセル−特定周期的ＳＲＳサブフレームであるサブフレーム７で部分−帯域（１１２０）を通じてＳＲＳ伝送動作を行うことができる。
【０２３３】
このように、端末が、非周期的ＳＲＳトリガリンググラントをｎ−４時点のサブフレームで受信した場合は、全体−帯域非周期的サウンディングで動作する、すなわち、上述した第３の非周期的ＳＲＳ構成で動作することができ、それ以外は、部分−帯域非周期的サウンディングで動作する、すなわち、上述した第４の非周期的ＳＲＳ構成で動作することができる。ここで、上記の第１及び第２の非周期的ＳＲＳ構成と共通する内容は、端末が、非周期的ＳＲＳを、非周期的ＳＲＳトリガリンググラントを受信したサブフレームから最も近いセル−特定周期的ＳＲＳサブフレームで伝送する方式を用いるということである。このような第３及び第４の非周期的ＳＲＳ構成は基地局により設定され、基地局が端末に上位層シグナリングを通じて知らせることができる。
【０２３４】
図１２Ａ及び図１２Ｂはそれぞれ、非周期的ＳＲＳ構成のサブフレームの一例を示す図である。
【０２３５】
図１２Ａを参照すると、基地局は、第５の非周期的ＳＲＳ構成として、端末が、サブフレームインデックス１、５、９であるサブフレームの部分−帯域を通じて非周期的ＳＲＳを伝送するように構成することができる。図１２Ａに示すように、第５の非周期的ＳＲＳ構成は、ＳＲＳ伝送周期とサブフレームオフセットがそれぞれ４ｍｓ、０ｍｓであるから、端末は、サブフレーム１、５、９で部分帯域を通じてＳＲＳを伝送することができる。
【０２３６】
また、図１２Ｂを参照すると、基地局は、第６の非周期的ＳＲＳ構成として、端末がサブフレームインデックス３、７のサブフレームの全体−帯域を通じた非周期的ＳＲＳを伝送するように構成することができる。図１２Ｂに示すように、第６の非周期的ＳＲＳ構成は、ＳＲＳ伝送周期とサブフレームオフセットがそれぞれ４ｍｓ、２ｍｓであるから、端末は、サブフレーム３、７で全体帯域を通じてＳＲＳを伝送することができる。この時、第５及び第６の非周期的ＳＲＳ構成において非周期的ＳＲＳ伝送サブフレームのためのリソースは、セル−特定周期的ＳＲＳ伝送のためのリソースを再使用するため、非周期的ＳＲＳが伝送されるサブフレームの周期は、セル−特定周期的ＳＲＳサブフレーム周期の倍数形態または同一の値に指定することができる。このような第５及び第６の非周期的ＳＲＳ構成情報（これらのＳＲＳ構成によるＳＲＳ伝送サブフレームに関する情報を含む。）は、基地局が上位層シグナリングを通じて端末に知らせることができる。
【０２３７】
図１３は、図１２Ａ及び図１２Ｂの非周期的ＳＲＳ構成及び端末が非周期的ＳＲＳトリガリンググラントを受信した時点に従う、非周期的ＳＲＳ構成動作のスイッチングを説明するための図である。
【０２３８】
端末が、非周期的ＳＲＳトリガリンググラントを受信したサブフレームから最も近いセル−特定周期的ＳＲＳサブフレームを通じて非周期的ＳＲＳの伝送を行う場合に、非周期的ＳＲＳ伝送する最も近いセル−特定周期的ＳＲＳサブフレームのＳＲＳ構成によって非周期的ＳＲＳ伝送を異ならせることができる。
【０２３９】
例えば、図１３に示すように、基地局は、セル−特定周期的ＳＲＳ構成として、周期的ＳＲＳ伝送サブフレームとしてサブフレーム１、３、５、７、９を割り当てている。また、基地局は、端末−特定周期的ＳＲＳ伝送サブフレームとしてサブフレーム１、５、９を割り当てることができる。端末がサブフレーム１で非周期的ＳＲＳトリガリンググラントを受信した場合に、端末は、サブフレーム１から最も近いセル−特定周期的ＳＲＳサブフレームであるサブフレーム３を通じて非周期的ＳＲＳを伝送することができる。この時、非周期的ＳＲＳトリガリンググラントを受信した時点から最も近いセル−特定非周期的ＳＲＳサブフレーム３は、図１２Ｂで、第６の非周期的ＳＲＳ構成で構成されたサブフレームに該当するから、端末は、サブフレーム３の全体帯域（ｆｕｌｌ−ｂａｎｄ）（１３１０）を通じて非周期的ＳＲＳを伝送することができる。他の実施例として、上記の第３の非周期的ＳＲＳ構成と同様に、端末が非周期的ＳＲＳトリガリンググラントを受信したサブフレーム１は、セル−特定周期的ＳＲＳサブフレームであるサブフレーム５に対してｎ−４時点に該当するサブフレームであるから、端末は、サブフレーム３の全体−帯域（１３１０）を通じて非周期的ＳＲＳを伝送することができる。
【０２４０】
また、端末がサブフレーム８で非周期的ＳＲＳトリガリンググラントを受信した場合に、端末は、サブフレーム８から最も近いセル−特定周期的ＳＲＳサブフレームであるサブフレーム９を通じて、非周期的ＳＲＳを伝送することができる。この時、非周期的ＳＲＳトリガリンググラントを受信した時点から最も近いセル−特定非周期的ＳＲＳサブフレーム９は、図１２Ａに示す第５の非周期的ＳＲＳ構成で設定されたサブフレームであるから、端末は、サブフレーム９の部分帯域（１３２０）を通じて非周期的ＳＲＳを伝送することができる。さらに他の実施の形態として、第４のＳＲＳ構成と同様に、非周期的ＳＲＳトリガリンググラントを受信したサブフレーム８は、サブフレーム３に対してｎ−４時点であるサブフレームに該当しないから、端末は、サブフレーム８の部分−帯域（１３２０）を通じて非周期的ＳＲＳを伝送することができる。さらに、サブフレーム９は、端末−特定周期的ＳＲＳサブフレームとして割り当てられて周期的ＳＲＳ伝送を基本的に行うが、例外的に非周期的ＳＲＳ伝送時点と重なる場合には、端末は、周期的ＳＲＳを取り消し、非周期的ＳＲＳを伝送するようにする。
【０２４１】
図１４Ａ及び図１４Ｂはそれぞれ、フォールバック（ｆａｌｌｂａｃｋ）非周期的ＳＲＳ伝送を説明するための図である。
【０２４２】
図１４Ａ及び図１４Ｂにそれぞれ示す第７の非周期的ＳＲＳ構成及び第８の非周期的ＳＲＳ構成は、非周期的ＳＲＳ伝送トリガリンググラントを受信した時点（例えば、サブフレームインデックス）と非周期的ＳＲＳを伝送する時点間の時間差（ｔｉｍｅ  ｄｉｆｆｅｒｅｎｃｅ）を用いて、端末が全体−帯域または部分−帯域を通じて非周期的ＳＲＳを伝送するように構成している。
【０２４３】
基地局は、第７の非周期的ＳＲＳ構成として、図１４Ａに示すようにＳＲＳサブフレームを割り当てることができる。第７の非周期的ＳＲＳ構成は、図１０Ｂに示す非周期的ＳＲＳトリガリング方式（すなわち、第１のＳＲＳ非周期的構成方式）と類似に、全体帯域を通じて非周期的ＳＲＳを伝送するようにする構成である。ただし、第７の非周期的ＳＲＳ構成では、既存の全体−帯域を通じた非周期的ＳＲＳリソースを、「再構成された全体−帯域（ｒｅｃｏｎｆｉｇｕｒｅｄ  ｆｕｌｌ−ｂａｎｄ）非周期的ＳＲＳリソース」１４１０と、「フォールバック非周期的ＳＲＳリソース」１４１５とに区別する非周期的ＳＲＳ構成である。
【０２４４】
図１４Ａに示すように、フォールバック非周期的ＳＲＳリソース１４１５は、割り当てられた全体−帯域非周期的ＳＲＳリソース１４１０の一部縮小されたリソースブロック（ＲＢ）領域１４１５を用いてもよい。または、フォールバック非周期的ＳＲＳリソース１４１５は、全体−帯域の非周期的ＳＲＳリソースと分離された（ｄｉｓｊｏｉｎｔ）リソース領域と事前に定義されてもよい。
【０２４５】
図１４Ａ及び図１４Ｂで、フォールバック非周期的ＳＲＳリソースと表現した方式は、前述した２種類のフォールバック非周期的ＳＲＳリソース割当方式（「再構成された全体−帯域（ｒｅｃｏｎｆｉｇｕｒｅｄ  ｆｕｌｌ−ｂａｎｄ）非周期的ＳＲＳリソース」と「フォールバック非周期的ＳＲＳリソース」）のいずれか一つのみを表すのではなく、２種類の方式を全て意味する表現である。また、フォールバック非周期的ＳＲＳリソース１４１５は、再構成された全体−帯域非周期的ＳＲＳリソース１４１０よりも相対的に小さい領域のリソースを占め、フォールバック非周期的ＳＲＳリソース（１４１５，１４２５）は、ＳＲＳ伝送サブフレーム別に周波数ホッピングパターンで割り当てられうる。
【０２４６】
再構成された全体−帯域非周期的ＳＲＳリソースとフォールバック非周期的ＳＲＳリソースとのスイッチングは、端末のプロセッサ２５５が自律で、再構成された全体−帯域非周期的ＳＲＳリソース１４１０で成功的に非周期的ＳＲＳを伝送するのに必要な電力量と現在使用可能な電力量とを比較し、それが十分であれば、再構成された全体−帯域非周期的ＳＲＳリソース１４１０を通じてＳＲＳを伝送するようにし、不十分であれば、フォールバック非周期的ＳＲＳリソース１４１５にフォールバックしてＳＲＳを伝送するようにする。この時、フォールバック非周期的ＳＲＳリソース１４１５へのスイッチングは、端末のプロセッサ２５５の判断及び決定によりなされるので、基地局は、ブラインドデコーディング（ｂｌｉｎｄ  ｄｅｃｏｄｉｎｇ）を用いて、非周期的ＳＲＳの伝送されたリソース領域を探す必要がある。。端末のプロセッサ２５５は、伝送電力が十分であるか否か判断し、判断の結果、伝送電力が十分な状況であれば、端末は、サブフレーム３で再構成された全体−帯域非周期的ＳＲＳリソース１４１０を通じてＳＲＳを伝送することができる。また、端末がサブフレーム６で非周期的ＳＲＳトリガリンググラントを受信し、端末のプロセッサ２５５が、伝送電力が不十分であると判断すると、端末は、サブフレーム７でフォールバック非周期的ＳＲＳ伝送方式にスイッチングして、フォールバック非周期的ＳＲＳリソース１４１５を通じて非周期的ＳＲＳを伝送することができる。また、このような動作は、部分−帯域非周期的サウンディング方式にも適用することができる。
【０２４７】
基地局は、第８の非周期的ＳＲＳ構成として、図１４Ｂに示すようにＳＲＳサブフレームを構成することができる。図１４Ｂを参照すると、第８の非周期的ＳＲＳ構成は、部分−帯域非周期的ＳＲＳリソースを、「再構成された部分−帯域非周期的ＳＲＳリソース」１４３０と、「フォールバック非周期的ＳＲＳリソース」１４４０とに分けて動作する非周期的ＳＲＳ伝送方式を示している。ここで、非周期的ＳＲＳトリガリング方法は、上述した図１０Ａで用いた方式（すなわち、第２の非周期的ＳＲＳ構成）と同じ方式に従うし、フォールバック非周期的ＳＲＳリソース１４４０は、図１４Ｂに示すように、部分−帯域非周期的ＳＲＳリソース１４３０と分離された（ｄｉｓｊｏｉｎｔ）リソース領域と事前に定義することができる。または、フォールバック非周期的ＳＲＳリソース１４４０として割り当てられた部分−帯域非周期的ＳＲＳリソースの一部の縮小されたＲＢ領域が用いられてもよい。
【０２４８】
図１４Ｂで、端末は、サブフレーム１で非周期的ＳＲＳトリガリンググラントを受信し、端末のプロセッサ２５５は、伝送電力が十分であるか否かを判断し、十分であれば、端末は、十分の伝送電力で部分−帯域非周期的ＳＲＳリソース１４３０を通じてＳＲＳ伝送を成功的に行うことができる。また、端末がサブフレーム５で非周期的ＳＲＳトリガリンググラントを受信し、端末のプロセッサ２５５が伝送電力が不十分であると判断すると、端末は、フォールバック非周期的ＳＲＳ方式にスイッチングして、サブフレーム７のフォールバック非周期的ＳＲＳリソース１４５０を通じて非周期的ＳＲＳを伝送することができる。この時には、端末はフォールバック非周期的ＳＲＳリソース１４５０を通じて非周期的ＳＲＳ伝送を行うことができる。このように、端末が自律で適応的に非周期的ＳＲＳリソースをフォールバックすることで、ＳＲＳカバレッジの問題を效率的に解決することができる。そして、端末がフォールバック非周期的ＳＲＳリソースを通じて非周期的ＳＲＳを伝送すると、基地局は、ブラインドデコーディング（ｂｌｉｎｄ  ｄｅｃｏｄｉｎｇ）を通じて、非周期的ＳＲＳの伝送されたリソース領域を探す必要がある。
【０２４９】
ここで、端末のプロセッサ２５５が、フォールバック非周期的ＳＲＳ方式にスイッチングするか否かを、電力が十分であるか否かを判断して決定するとしたが、これに限定されず、サービングセルが隣接セルから、隣接セルが特定帯域に対して強い干渉を誘発するといった情報のような隣接セル干渉情報を通知されると、その特定帯域に対してはフォールバック非周期的ＳＲＳ方式で動作することもできる。例えば、隣接セルＡの境界（ｅｄｇｅ）に位置している端末Ａが、サブフレーム１の特定帯域でＳＲＳを伝送する場合に、このＳＲＳアップリンク伝送がセルＢに強い干渉として作用するとすれば、セルＢは、アップリンク干渉を考慮して、セル内の端末にフォールバック非周期的ＳＲＳリソースを通じて非周期的ＳＲＳを伝送するように指示するなどのシグナリング（例えば、１ビット）を伝達することができる。すると、セルＢ内の端末は、このシグナリングに基づいてサブフレーム１ではフォールバック非周期的ＳＲＳリソースを通じてＳＲＳを伝送するようにすることができる。セルＡとセルＢは、バックホールなどを通じてこのようなアップリンク干渉に関する情報を交換し、隣接セルのＳＲＳ伝送によるアップリンク干渉を考慮してセル内の端末のＳＲＳリソースを割り当てることができる。
【０２５０】
図１５Ａは、セル−特定ＳＲＳサブフレーム構成とセル−特定ＳＲＳリソースの構成を示す図であり、図１５Ｂは、セル−特定周期的ＳＲＳリソースとセル−特定非周期的ＳＲＳリソースとが多重化されたＳＲＳ構成を示す図であり、図１５Ｃは、非周期的ＳＲＳサブフレーム構成の一例を示す図である。
【０２５１】
まず、図１５Ａを参照すると、基地局は、セル−特定ＳＲＳサブフレームを事前に設定した規則に従って、２ｍｓ周期にセル−特定ＳＲＳサブフレームをサブフレーム１、３、５、７、９とし、セル−特定ＳＲＳリソースを割り当てることができる。端末は、セル−特定周期的ＳＲＳリソースとセル−特定非周期的ＳＲＳリソースとが多重化されたサブフレームや、非周期的ＳＲＳサブフレームを通じて、非周期的ＳＲＳを伝送することができる。。
【０２５２】
図１５Ｂ及び図１５Ｃを参照すると、基地局は、図１５Ａで構成したセル−特定ＳＲＳサブフレームのうち、サブフレーム１、５、９のような「セル−特定周期的ＳＲＳリソースと非周期的ＳＲＳリソースとを多重化した（ｍｕｌｔｉｐｌｅｘｅｄ）サブフレーム」、及びサブフレーム３、７のように「非周期的ＳＲＳサブフレーム」とに区別して構成することができる。ここで、セル−特定周期的ＳＲＳリソースと非周期的ＳＲＳリソースとが多重化されたサブフレームは、セル−特定ＳＲＳリソースを、「周期的ＳＲＳリソース」１５１０と「非周期的ＳＲＳリソース」１５２０とに分けて用いる方式である。
【０２５３】
セル−特定ＳＲＳリソースの分割方式は、周波数領域で直交する２個の領域（例えば、２個の副帯域）に分けたり、または使用可能なｃｏｍｂと巡回シフト（ｃｙｃｌｉｃ  ｓｈｉｆｔ）などの対からなる全体集合を、分離された（ｄｉｓｊｏｉｎｔ）２個の部分集合に分けた後に、周期的ＳＲＳリソースと非周期的ＳＲＳリソースとしてそれぞれ割り当てることもできる。後者方式の一例として、使用可能な２個のｃｏｍｂを全体−帯域サウンディングと部分−帯域サウンディングの目的に区分した後、それぞれのｃｏｍｂと組み合わせ可能な８個の巡回シフトを再び半分ずつ分けて、周期的ＳＲＳリソースと非周期的ＳＲＳリソースとして割り当てることができる。
【０２５４】
例えば、端末Ａの立場で、サブフレーム１で非周期的ＳＲＳリソース１５２０を通じて非周期的ＳＲＳを伝送し、同時に端末Ｂは、サブフレーム１で周期的ＳＲＳリソース１５１０を通じて周期的ＳＲＳを伝送することができる。すなわち、端末Ａの非周期的ＳＲＳと端末Ｂの周期的ＳＲＳは、サブフレーム１で多重化（ｍｕｌｔｉｐｌｅｘｉｎｇ）して伝送されることが可能である。また、一つの端末が、サブフレーム１で非周期的ＳＲＳと周期的ＳＲＳとを多重化して伝送することもできるが、この時、周期的ＳＲＳと非周期的ＳＲＳに異なるｃｏｍｂを適用させて伝送することによって、特定帯域幅のチャネル推定をより効率的にさせることができる。
【０２５５】
図１５Ｃを参照すると、基地局は、図１５Ａで構成したセル−特定ＳＲＳサブフレームのうち、サブフレーム３、７では、非周期的ＳＲＳ伝送リソースを全体−帯域１５３０とすることができる。
【０２５６】
図１５Ｂ及び図１５Ｃに示すように、基地局は、それぞれ割り当てられたセル−特定ＳＲＳサブフレームを交互に、セル−特定周期的及び非周期的ＳＲＳリソースを多重化したサブフレームと、非周期的ＳＲＳサブフレームとして割り当てることができる。例えば、基地局は、セル−特定ＳＲＳサブフレーム１では、セル−特定周期的及び非周期的ＳＲＳリソースを多重化するように構成し、その次のセル−特定ＳＲＳサブフレーム３は、非周期的ＳＲＳサブフレームとして構成し、その次のセル−特定ＳＲＳサブフレーム５は再び、セル−特定周期的及び非周期的ＳＲＳリソースを多重化するように構成することができる（第９の非周期的ＳＲＳ構成）。ここで用いられる規則は、様々な方法で様々に定義することができる。また、図１５Ｂに示した周期的ＳＲＳリソースと非周期的ＳＲＳリソースの区分は、上述した２つのセル−特定ＳＲＳリソース分割方式のいずれか一つのみを用いての区分に制限されず、２つのＳＲＳリソース分割方式を全て用いての区分であってもよい。
【０２５７】
さらに、セル−特定周期的ＳＲＳリソース及び非周期的ＳＲＳリソースが多重化されたサブフレームで非周期的ＳＲＳ伝送が要求される場合に、端末は、指定された非周期的ＳＲＳリソースを通じてＳＲＳを伝送することができる。端末の立場では、非周期的ＳＲＳトリガリング指示子（例えば、ｇｒａｎｔ）の受信時点を知っておらず、よって、基地局は、端末の非周期的ＳＲＳを伝送するためのリソースを事前にあらかじめ定めて割り当てておくことができる。セル−特定周期的及び非周期的ＳＲＳリソースが多重化されたサブフレームでは、周期的ＳＲＳ伝送が基本方式として定められているが、例外的に非周期的ＳＲＳ伝送時点と重なる場合には、端末は、周期的ＳＲＳ伝送を取り消し、非周期的ＳＲＳ伝送を優先して行うこともできる。
【０２５８】
図１６は、端末−特定（ＵＥ−ｓｐｅｃｉｆｉｃ）周期的ＳＲＳサブフレーム構成を示す図である。
【０２５９】
基地局は、第１０のＳＲＳ構成として、図１６に示すように、ＳＲＳ伝送サブフレームを特定端末に割り当てることができる。第１０のＳＲＳ構成は、特定フレームで端末−特定（ＵＥ−ｓｐｅｃｉｆｉｃ）周期的ＳＲＳサブフレームを２ｍｓの周期に割り当てる。例えば、特定フレームにおいてサブフレーム１、３、５、７、９を端末−特定周期的ＳＲＳサブフレームとして割り当てる。このような端末−特定周期的ＳＲＳサブフレームのうちの一部サブフレームを、セル−特定周期的ＳＲＳ及び非周期的ＳＲＳリソースが多重化されたサブフレームとすることができ、これは、図１６において点線で表示した。図１６の点線で表示されたサブフレームでは、セル−特定周期的ＳＲＳ及び非周期的ＳＲＳリソースが周波数分割多重化方式で示されているが、これに制限されることはない。サブフレーム１、５、９では、セル−特定周期的ＳＲＳと非周期的ＳＲＳとが多重化して（ｍｕｌｔｉｐｌｅｘｅｄ）伝送されることが可能である。例えば、サブフレーム１、５、９で、端末Ａは周期的ＳＲＳを伝送し、端末Ｂは非周期的ＳＲＳを伝送することができる。または、端末Ａは、サブフレーム１、５、９では、１つのサブフレームで周期的ＳＲＳと非周期的ＳＲＳとを多重化させて同時に伝送することもできる。端末別に特定に割り当てられる周期的ＳＲＳサブフレームの周期は、セル−特定周期的及び非周期的ＳＲＳリソースが多重化されたサブフレーム周期の倍数または同一の値と指定することができる。
【０２６０】
図１７Ａ乃至図１７Ｃはそれぞれ、非周期的ＳＲＳトリガリンググラント受信サブフレームとこれに対応する非周期的ＳＲＳ伝送サブフレームとの時間関係を用いて、多数のＳＲＳ構成を動的に選択する動作を説明するための図である。
【０２６１】
ここで、端末は、２種類の非周期的ＳＲＳ構成を有しており、これらをそれぞれ、第１１のＳＲＳ構成と第１２のＳＲＳ構成と表現する。そして、端末の非周期的ＳＲＳ伝送時点は、非周期的ＳＲＳトリガリンググラントを受信したサブフレームに後続する最も近い（あるいは早い）セル−特定ＳＲＳサブフレームに指定するとし、セル−特定ＳＲＳサブフレームの周期は２ｍｓに設定した。
【０２６２】
基地局は、第１１のＳＲＳ構成として、図１７Ａに示すようにＳＲＳサブフレームを割り当てることができる。端末がサブフレームｎ（例えば、ｎ＝５、９）で非周期的ＳＲＳトリガリンググラントを受信した場合に、端末のプロセッサ２５５は第１１のＳＲＳ構成を選択でき、第１１のＳＲＳ構成によって、端末は、非周期的ＳＲＳを、サブフレームｎ＋２（すなわち、ｎ＋２＝７、１）で部分帯域１７１０，１７２０を通じてそれぞれ伝送することができる。特に、第１１のＳＲＳ構成では、端末が非周期的ＳＲＳを伝送する部分帯域１７１０，１７２０は、周波数ホッピングされた形態で構成されている。
【０２６３】
基地局は、第１２のＳＲＳ構成として、図１７Ｂに示すようにＳＲＳサブフレームを割り当てることができる。端末がサブフレームｎ（ｎ＝２、８）で非周期的ＳＲＳトリガリンググラントを受信した場合に、端末のプロセッサ２５５は第１２のＳＲＳ構成を選択でき、第１２のＳＲＳ構成によって、端末は、非周期的ＳＲＳを、サブフレームｎ＋１（すなわち、ｎ＋１＝３、９）で全体帯域を通じて伝送することができる。
【０２６４】
ここで、一例として、３ＧＰＰ  ＬＴＥ、ＬＴＥ−Ａシステムでは、１フレームは１０個のサブフレームを含み、１フレーム内に含まれた各サブフレームのインデックスを１〜１０と付与したとする。非周期的ＳＲＳトリガリンググラントを受信したサブフレームと非周期的ＳＲＳを伝送するサブフレームとの時間関係について、非周期的ＳＲＳトリガリンググラントを受信したサブフレームインデックスと非周期的ＳＲＳを伝送するサブフレームインデックスとのインデックス差が２の場合に、例えば、図１７Ａに示すようにサブフレーム５で端末が非周期的ＳＲＳトリガリンググラントを受信すると、端末のプロセッサ２５５は第１１のＳＲＳ構成を選択し、第１１のＳＲＳ構成によって、サブフレーム７で部分−帯域１７１０を通じて非周期的ＳＲＳ伝送動作を行うことができる。一方、端末が非周期的ＳＲＳトリガリンググラントの受信サブフレームと非周期的ＳＲＳを伝送するサブフレームとの時間関係について、非周期的ＳＲＳトリガリンググラントを受信したサブフレームインデックスと非周期的ＳＲＳを伝送するサブフレームインデックスとのインデックス差が１の場合に、例えば、図１７Ｂに示すように、サブフレーム８で非周期的ＳＲＳトリガリンググラントを受信した時は、端末のプロセッサ２５５は第１２のＳＲＳ構成を選択し、サブフレーム９で全体−帯域非周期的ＳＲＳ伝送動作を行うこととなる。図１７Ｂのサブフレーム９で非周期的ＳＲＳが伝送されるリソースを点線１７４０で表示しているが、実際には全体帯域を通じて伝送される。すなわち、非周期的ＳＲＳを周期的ＳＲＳ伝送とｃｏｍｂ、巡回シフト（ｃｙｃｌｉｃ  ｓｈｉｆｔ）などにより区別して、共に全体帯域を通じて伝送することができる。
【０２６５】
そして、セル−特定周期的及び非周期的ＳＲＳが多重化されたサブフレームで全体−帯域または部分−帯域非周期的ＳＲＳ伝送が要求される場合に、端末は、指定された非周期的ＳＲＳリソースを通じて、上記第１の非周期的ＳＲＳ構成に従うＳＲＳ伝送または第２の非周期的ＳＲＳ構成に従うＳＲＳ伝送を行うことができる。
【０２６６】
図１７Ａに示すように、部分−帯域非周期的ＳＲＳリソースを周波数ホッピングパターンをもって割り当て（すなわち、１７１０、１７２０のように割り当てる。）、ダイバーシティ利得などを得、ＳＲＳカバレッジの問題を效果的に解決することができる。
【０２６７】
基地局は、第１３のＳＲＳ構成として、図１７Ｃに示すようにＳＲＳサブフレームを割り当てることができる。図１７Ｃに示す第１３の非周期的ＳＲＳ構成は、図１７ＡのＳＲＳ構成とは異なる他の部分−帯域非周期的ＳＲＳ構成の例であり、周波数ホッピングされた方式を用いない部分−帯域非周期的ＳＲＳ方式である。第１３の非周期的ＳＲＳ構成では、周波数ホッピング方式を用いない部分−帯域非周期的ＳＲＳ伝送が構成されている。端末がサブフレーム５で非周期的ＳＲＳトリガリンググラントを受信すると、サブフレーム５に後続する最も早いサブフレームであるサブフレーム７の部分帯域１７５０を通じて、非周期的ＳＲＳを伝送することができる。また、端末がサブフレーム９で非周期的ＳＲＳトリガリンググラントを受信すると、サブフレーム９に後続する、次のフレームのサブフレーム１の部分帯域１７６０を通じて、非周期的ＳＲＳを伝送することができる。周波数ホッピング方式を用いない部分−帯域非周期的ＳＲＳ伝送方式は、異種網間に同一チャネル（ｃｏ−ｃｈａｎｎｅｌ）を用いることから生じるアップリンク信号干渉の問題を緩和させるのに非常に効果的である。
【０２６８】
図１８は、端末の非周期的ＳＲＳトリガリンググラント受信時点のサブフレームインデックス分類に対して異なる基準を適用した場合に対応する非周期的ＳＲＳ伝送を説明するための図である。
【０２６９】
図１８で、端末が非周期的ＳＲＳトリガリング指示子（ｇｒａｎｔ）を受信したサブフレームのインデックスが奇数である場合（例えば、図１８のサブフレーム１）には、端末は、サブフレーム３で全体−帯域を通じて非周期的ＳＲＳ伝送動作を行うことができる。一方、端末が非周期的ＳＲＳトリガリンググラントの受信サブフレームのインデックスが偶数である場合（例えば、図１８のサブフレーム６）には、端末はサブフレーム７で部分−帯域非周期的ＳＲＳ伝送動作を行うことができる。
【０２７０】
また、図１８と関連した他の実施例として、特定端末に割り当てられた端末−特定（ＵＥ−ｓｐｅｃｉｆｉｃ）周期的ＳＲＳサブフレームインデックスをｎとする時に、端末が非周期的ＳＲＳトリガリンググラントを受信したサブフレームをインデックスｎ−４時点のサブフレームと、それ以外のサブフレームとに区別した方式である。ここで、インデックスｎ−４のサブフレームｎ−４時点に対する定義は、他の値に様々に指定可能である。
【０２７１】
端末が非周期的ＳＲＳトリガリンググラントをサブフレームｎ−４時点で受信した場合に、サブフレームｎから最も近い周期的ＳＲＳサブフレームの全体−帯域（ｆｕｌｌ−ｂａｎｄ）を通じて非周期的ＳＲＳを伝送することができる。これと違い、端末が非周期的ＳＲＳトリガリンググラントをサブフレームｎ−４時点以外のサブフレームで受信した場合には、端末はサブフレームｎから最も近い周期的ＳＲＳサブフレームの部分−帯域を通じて非周期的ＳＲＳを伝送することができる。両方のＳＲＳ構成とも、端末が、非周期的ＳＲＳ伝送を、非周期的ＳＲＳトリガリンググラントを受信したサブフレームから最も近い周期的ＳＲＳサブフレームを通じて伝送される方式を用いた。
【０２７２】
図１８に示すように、例えば、端末がサブフレーム１で非周期的ＳＲＳトリガリンググラントを受信した場合に、サブフレーム１は、サブフレーム５（ｎ＝５）のｎ−４時点のサブフレームであるから、端末は全体−帯域１８１０を通じて非周期的ＳＲＳを伝送する動作を行うことができる。また、端末がサブフレーム６で非周期的ＳＲＳトリガリンググラントを受信した場合に、サブフレーム６はサブフレーム９（ｎ＝９）のｎ−４時点のサブフレームに該当しないから、端末は部分−帯域１８２０を通じて非周期的ＳＲＳを伝送する動作を行う。
【０２７３】
図１９Ａ及び図１９Ｂはそれぞれ、ＳＲＳ構成の非周期的ＳＲＳサブフレームの一例を示す図である。
【０２７４】
図１９Ａ及び図１９Ｂでは、第２のフレームに後続するフレームが存在するが、説明の便宜のために第２のフレームまでを示して説明する。図１９Ａに示すように、部分−帯域を通じてＳＲＳを伝送するためのＳＲＳ構成は、ＳＲＳ伝送周期とサブフレームオフセットをそれぞれ４ｍｓ、２ｍｓに設定することができる。基地局は、第１のフレームのサブフレーム３、７と第２のフレームのサブフレーム１、５などを、部分−帯域を通じたＳＲＳサブフレームとして構成することができる。すなわち、端末は、第１のフレームでサブフレーム３、７、そして第１のフレームに後続する第２のフレームにおけるサブフレーム１、５で部分−帯域を通じてＳＲＳを伝送することができる。図１９Ｂに示すように、全体−帯域を通じてＳＲＳを伝送するためのＳＲＳ構成は、ＳＲＳ伝送周期とサブフレームオフセットをそれぞれ４ｍｓ、０ｍｓに設定することができる。基地局は、第１のフレームのサブフレーム１、５、９と第２のフレームのサブフレーム３などを、全体−帯域を通じたＳＲＳサブフレームとして構成することができる。端末は、第１のフレームのサブフレーム１、５、サブフレーム９、及び第１のフレームに後続する第２のフレームにおけるサブフレーム３で全体帯域を通じてＳＲＳを伝送することができる。
【０２７５】
この時、各ＳＲＳ構成において、ＳＲＳ伝送サブフレームのためのリソースは、セル−特定周期的ＳＲＳ伝送のためのリソースを再使用するため、非周期的ＳＲＳが伝送されるサブフレームの周期を、セル−特定周期的ＳＲＳサブフレーム周期の倍数形態または同じ値に指定することができる。このように、部分−帯域を通じてＳＲＳを伝送するサブフレームと全体−帯域を通じてＳＲＳを伝送するサブフレームに関する情報は事前に基地局と端末間に設定されてあらかじめ知っていてもよいが、基地局が端末に上位層シグナリングなどを通じて伝送してもよい。
【０２７６】
図２０は、図１９Ａ及び図１９Ｂの非周期的ＳＲＳ構成と端末が非周期的ＳＲＳトリガリンググラントを受信した時点に従う、非周期的ＳＲＳ構成動作のスイッチングを説明するための図である。
【０２７７】
基地局は、サブフレーム１、５、９で全体−帯域を通じてＳＲＳリソースを割り当てるが、セル−特定周期的ＳＲＳリソース及びセル−特定非周期的ＳＲＳリソースで多重化されたサブフレームにしてもよい。基地局は、この多重化されたサブフレームにおけるＳＲＳリソースを、直交する２個の領域（例えば、２個の副帯域）に分けたり、または使用可能なｃｏｍｂと巡回シフト（ｃｙｃｌｉｃ  ｓｈｉｆｔ）などの対からなる全体集合を、分離された（ｄｉｓｊｏｉｎｔ）２個の部分集合に分けた後に、周期的ＳＲＳリソースと非周期的ＳＲＳリソースとしてそれぞれ割り当ててもよい。
【０２７８】
図２０では、端末が非周期的ＳＲＳの伝送時点を、非周期的ＳＲＳトリガリンググラントを受信したサブフレームから最も近いセル−特定ＳＲＳサブフレームに定めたとする。図２０に示すように、一例として、端末がサブフレーム２で非周期的ＳＲＳトリガリンググラントを受信した場合に、端末はサブフレーム２から最も早いセル−特定ＳＲＳサブフレームであるサブフレーム３を通じて、非周期的ＳＲＳを伝送することができる。この時、このサブフレーム３は、図１９Ａで部分−帯域を通じたＳＲＳ伝送サブフレームと設定されているため、端末は、サブフレーム３で部分−帯域２０１０を通じて非周期的ＳＲＳを伝送することとなる。また、端末がサブフレーム８で非周期的ＳＲＳトリガリンググラントを受信した場合に、最も近いセル−特定ＳＲＳサブフレーム９を通じて非周期的ＳＲＳを伝送する。この時、ＳＲＳの伝送されるサブフレーム９は、図１９Ｂで全体−帯域を通じてＳＲＳを伝送するサブフレームと設定されているため、端末は、サブフレーム９で全体−帯域２０２０を通じて非周期的ＳＲＳを伝送することとなる。図２１Ａ及び図２１Ｂは、非周期的ＳＲＳ伝送リソースの一部をフォールバック（ｆａｌｌｂａｃｋ）非周期的ＳＲＳ伝送リソースに分けて用いる新しい方式の非周期的ＳＲＳ伝送を説明するための図である。
【０２７９】
ここで、フォールバック非周期的ＳＲＳリソース２１１５は、割り当てられた非周期的ＳＲＳ伝送リソース２１１０の一部縮小されたリソースブロック（ＲＢ）領域を用いることができる。または、フォールバック非周期的ＳＲＳリソースは、事前に非周期的ＳＲＳ伝送リソースと分離された（ｄｉｓｊｏｉｎｔ）リソース領域、使用可能なｃｏｍｂと巡回シフト（ｃｙｃｌｉｃ  ｓｈｉｆｔ）の対からなる全体集合を、分離された（ｄｉｓｊｏｉｎｔ）２個の部分集合に分けた後に、非周期的ＳＲＳリソースとフォールバック非周期的ＳＲＳリソースとにそれぞれ分けて定義してもよい。図２１Ａ及び図２１Ｂに示している、割り当てられたフォールバック非周期的ＳＲＳ伝送リソースは、前述した２種類のフォールバック非周期的ＳＲＳ伝送リソース割当方式のいずれか一方のみを含むものではなく、両方の方式とも含んでいる。
【０２８０】
図２１Ａに示す部分−帯域非周期的ＳＲＳ伝送方式は、図２０と類似な非周期的ＳＲＳトリガリング方式により部分−帯域非周期的ＳＲＳを伝送する方式である。端末がサブフレーム２で非周期的ＳＲＳトリガリンググラントを受信した場合に、端末は、サブフレーム２から最も近いセル−特定周期的ＳＲＳサブフレームであるサブフレーム３の部分−帯域２１１０を通じて非周期的ＳＲＳを伝送することができる。端末がサブフレーム６で非周期的ＳＲＳトリガリンググラントを受信した場合に、端末は、サブフレーム６から最も近いセル−特定周期的ＳＲＳサブフレームであるサブフレーム７で非周期的ＳＲＳを伝送することができる。この時、端末のプロセッサ２５５は、サブフレーム７で不十分な伝送電力などの理由からフォールバック非周期的ＳＲＳ伝送リソース２１２０を通じてＳＲＳを伝送するようにスイッチングすることができる。
【０２８１】
また、図２１Ｂに示す全体−帯域非周期的ＳＲＳ伝送は、図２０と類似な非周期的ＳＲＳ伝送トリガリング方式により全体−帯域非周期的ＳＲＳを伝送する方式である。図２１Ｂに示す全体−帯域非周期的ＳＲＳ伝送方式によって端末がサブフレーム３で非周期的ＳＲＳトリガリンググラントを受信すると、端末は、サブフレーム３から最も近いセル−特定周期的ＳＲＳ伝送サブフレームに該当するサブフレーム５でＳＲＳを伝送することができる。この時、端末は、非周期的ＳＲＳをサブフレーム５におけるフォールバック非周期的ＳＲＳリソース２１３０を通じて伝送することができる。また、端末がサブフレーム８で非周期的ＳＲＳトリガリンググラントを受信すると、端末は、サブフレーム８と最も近いセル−特定周期的ＳＲＳ伝送サブフレームに該当するサブフレーム９で全体帯域２１４０を通じてＳＲＳを伝送することができる。
【０２８２】
このような図２１Ａ及び図２１Ｂに関するＳＲＳ構成情報は、基地局が端末に上位層シグナリングなどを通じて知らせることができる。
【０２８３】
以上、３ＧＰＰ  ＬＴＥ  Ｒｅｌｅａｓｅ  １０以降のシステムにおいて端末が非周期的ＳＲＳを伝送する方式について説明した。３ＧＰＰ  ＬＴＥ  Ｒｅｌｅａｓｅ  １０システムに非周期的ＳＲＳを導入した目的は、周期的ＳＲＳ伝送のオーバーヘッドを低減しながらも、基地局のチャネル推定の品質を向上させ、より正確で適応的にチャネル推定を行うことにある。
【０２８４】
本発明の他の一実施の形態として、様々な非周期的ＳＲＳトリガリング方式によって非周期的ＳＲＳ伝送を行う時に、端末の非周期的ＳＲＳ伝送から得られた基地局のチャネル推定結果の正確性及び効率性を高めるために、非周期的ＳＲＳ伝送電力制御を周期的ＳＲＳ伝送電力制御と異なる方法を用いることを新しく提案する。本発明で提案する方式は、様々な非周期的ＳＲＳ  ｄｕｒａｔｉｏｎ環境でも適用することができる。
【０２８５】
既存のＳＲＳ伝送電力の数式は、下記の数学式１６で示すことができる。
【０２８６】
【数１６】
0005866124.tif 000058
【０２８７】
ここで、ｉは、サブフレームインデックスであり、ＰＳＲＳ（ｉ）は、サブフレームｉ（すなわち、インデックスｉのサブフレーム）で伝送されるＳＲＳ電力を表す。上記の数学式１６には、基地局が端末に上位層シグナリングを通じて半−固定的に（ｓｅｍｉ−ｓｔａｔｉｃ）決定して知らせるパラメータと、ＰＤＣＣＨのＴＰＣ（Ｔｒａｎｓｍｉｔ  Ｐｏｗｅｒ  Ｃｏｎｔｒｏｌ）命令（ｃｏｍｍａｎｄ）を通じて動的に決定して知らせるパラメータとで構成されている。
【０２８８】
【化３７】
0005866124.tif 000059
【０２８９】
は、基地局が上位層信号を通じて端末に知らせ、
【０２９０】
【化３８】
0005866124.tif 000060
【０２９１】
は、基地局がＰＤＣＣＨのＴＰＣ命令を通じて端末に動的に知らせる。
【０２９２】
【化３９】
0005866124.tif 000061
【０２９３】
は、ＳＲＳ伝送のための電力オフセット値である端末−特定パラメータ（例えば、４ビット）を表し、上位レイヤーで半−固定的に（ｓｅｍｉ−ｓｔａｔｉｃａｌｌｙ）構成される値で基地局が端末にシグナリングする値である。
【０２９４】
【化４０】
0005866124.tif 000062
【０２９５】
は、現在ＰＵＳＣＨパワー制御調整状態を表す値であり、現在の絶対値または蓄積された値で表現することができる。α（ｊ）は、上位層で基地局が、例えば３ビットで伝送するセル−特定パラメータを表し、ｊ＝０または１の時に、α∈｛０，０．４，０．５，０．６，０．７，０．８，０．９，１｝であり、ｊ＝２の時に、α（ｊ）＝１である。α（ｊ）は、基地局が端末に知らせる値である。
【０２９６】
ＰＣＭＡＸは、構成された端末の伝送電力を表し、ＭＳＲＳは、リソースブロックの数で表現されたサブフレームｉにおいてＳＲＳ伝送の帯域幅を表し、ＰＯ＿ＰＵＳＣＨ（ｊ）は、上位レイヤーから提供されたセル−特定ノミナルコンポーネント（ｎｏｍｉｎａｌ  ｃｏｍｐｏｎｅｎｔ）ＰＯ＿ＮＯＭＩＮＡＬ＿ＰＵＳＣＨ（ｊ）と上位レイヤーから提供された端末−特定コンポーネントＰＯ＿ＵＥ＿ＰＵＳＣＨ（ｊ）との和で構成されたパラメータを表し、基地局が端末に知らせる値である。
【０２９７】
ＰＬは、端末がｄＢ単位で計算したダウンリンク経路損失（または、信号損失）の推定値であり、ＰＬ＝ｒｅｆｅｒｅｎｃｅＳｉｇｎａｌＰｏｗｅｒ−ｈｉｇｈｅｒｌａｙｅｒｆｉｌｔｅｒｅｄＲＳＲＰと表現される。
【０２９８】
周期的ＳＲＳと非周期的ＳＲＳの互いに異なる伝送電力制御のための数式は、上記の数学式１６の構成パラメータを再定義したり、新しいパラメータを追加したりすることで定義することができる。
【０２９９】
本発明で提案するＳＲＳ伝送のための電力制御の数式は、下記の数学式１７のように示すことができる。
【０３００】
【数１７】
0005866124.tif 000063
【０３０１】
ここで、Ｖは、非周期的ＳＲＳ伝送時にのみ適用される電力オフセット（ｐｏｗｅｒ  ｏｆｆｓｅｔ）を表し、基地局が上位層信号を通じて一つ以上の値で端末にシグナリングすることができる。Ｖが一つの値に設定された場合は、ＤＣＩフォーマット（０／３／３Ａ）と端末別に特定した（ＵＥ−ｓｐｅｃｉｆｉｃ）パラメータであるＡｃｃｕｍｕｌａｔｉｏｎ−ｅｎａｂｌｅｄ値の種類にかかわらずに、常に同一の非周期的ＳＲＳ電力オフセットを適用することができる。一方、Ｖが複数の値に設定された場合は、ＤＣＩフォーマット（０／３／３Ａ）とＡｃｃｕｍｕｌａｔｉｏｎ−ｅｎａｂｌｅｄ値との組み合わせに従って非周期的電力オフセットを別々に適用することができる。一例として、端末がサブフレームｉで伝送するＳＲＳの種類に従って、ＰＤＣＣＨのＴＰＣ命令の受信後に適用される電力オフセットを別々に設定することができる。この時、周期的ＳＲＳと非周期的ＳＲＳは、
【０３０２】
【化４１】
0005866124.tif 000064
【０３０３】
は共通し、Ｖ値のみが異なるように適用される。
【０３０４】
本発明で提案するＳＲＳ伝送のための他の電力制御の数式は、下記の数学式１８のように示すことができる。この電力制御の数式は、周期的ＳＲＳと非周期的ＳＲＳの伝送電力オフセットを完全に独立して計算して動作するようにする。すなわち、上記の数学式１７の
【０３０５】
【化４２】
0005866124.tif 000065
【０３０６】
を、下記の数学式１８のように再定義することができる。このような動作方式の場合に、
【０３０７】
【化４３】
0005866124.tif 000066
【０３０８】
【化４４】
0005866124.tif 000067
【０３０９】
ＰＬの値が周期的ＳＲＳと非周期的ＳＲＳ間に共有され、
【０３１０】
【化４５】
0005866124.tif 000068
【０３１１】
のみが異なるように適用される。
【０３１２】
【数１８】
0005866124.tif 000069
【０３１３】
ここで、
【０３１４】
【化４６】
0005866124.tif 000070
【０３１５】
と同一の計算方式に従うが、ＤＣＩフォーマット（０／３／３Ａ）とＡｃｃｕｍｕｌａｔｉｏｎ−ｅｎａｂｌｅｄ値との組み合わせに従って選択されるδＰＵＳＣＨ値を異ならせることができる。また、
【０３１６】
【化４７】
0005866124.tif 000071
【０３１７】
と完全に異なる計算方式とδＰＵＳＣＨ値で定義してもよい。
【０３１８】
さらに、上記の数学式１８に示すように、電力制御式において、
【０３１９】
【化４８】
0005866124.tif 000072
【０３２０】
が、周期的ＳＲＳ伝送のための電力制御式と非周期的ＳＲＳ伝送のための電力制御において共通しておらず、独立している。このように、
【０３２１】
【化４９】
0005866124.tif 000073
【０３２２】
を周期的ＳＲＳ伝送と非周期的ＳＲＳ伝送において独立して適用する実施例として、非周期的ＳＲＳトリガリングのために伝送されるＤＣＩフォーマットのＴＰＣ情報を用いる方式を提案する。基地局が非周期的ＳＲＳトリガリングのために用いるＤＣＩフォーマットは、非周期的ＳＲＳトリガリングビットを含めた既存のＤＣＩフォーマットを用いたり、非周期的ＳＲＳトリガリンのみのために新しく定義されたＤＣＩフォーマットを用いたりできる。また、非周期的ＳＲＳトリガリングのためのＤＣＩフォーマットは常に２ビットのＴＰＣ情報を有していると仮定する。上記提案された方式は、このような条件下で、基地局が２ビットのＴＰＣ情報を用いて端末に電力オフセット値を直接で動的に知らせるものである。電力オフセットは、絶対値（ａｂｓｏｌｕｔｅ）または累積された値（ａｃｃｕｍｕｌａｔｅｄ）でよく、この電力オフセットは、非周期的ＳＲＳの伝送電力制御にのみ影響を及ぼす。
【０３２３】
本発明で提案するＳＲＳ伝送のためのさらに他の電力制御の数式を、下記の数学式１９のように示すことができる。
【０３２４】
【数１９】
0005866124.tif 000074
【０３２５】
この方式では、基地局が上位層信号を通じて端末別に特定した（ＵＥ−ｓｐｅｃｉｆｉｃ）
【０３２６】
【化５０】
0005866124.tif 000075
【０３２７】
を、１個ではなく２個でシグナリングし、ＳＲＳの種類に従って別々の電力オフセットが適用されるようにする。基地局は、周期的ＳＲＳ伝送と非周期的ＳＲＳ伝送とを区別してそれぞれ
【０３２８】
【化５１】
0005866124.tif 000076
【０３２９】
を端末にシグナリングすることができる。例えば、トリガータイプ０（ｔｒｉｇｇｅｒ  ｔｙｐｅ  ０）として、基地局は、周期的ＳＲＳ伝送のための電力オフセット値を上位層シグナリングで端末に知らせることができる。また、トリガータイプ１（ｔｒｉｇｇｅｒ  ｔｙｐｅ  １）として、基地局は、非周期的ＳＲＳ伝送のための電力オフセット値を上位層シグナリングで端末に知らせることができる。ここで、基地局は、非周期的ＳＲＳ伝送のための電力オフセット値を、ＦＤＤ及びＴＤＤシステムではＤＣＩフォーマット０／４／１Ａを通じて端末に伝送でき、またはＴＤＤシステムではＤＣＩフォーマット２Ｂ／２Ｃフォーマットを通じて端末に伝送することができる。トリガータイプ０とトリガータイプ１が同一のサブフレームでトリガリング（あるいは発生）する場合には、端末は、トリガータイプ１のＳＲＳ伝送（すなわち、非周期的ＳＲＳ伝送）のみを行うことができる。
【０３３０】
この場合、
【０３３１】
【化５２】
0005866124.tif 000077
【０３３２】
以外のパラメータは、周期的ＳＲＳを伝送するための電力制御式と非周期的ＳＲＳを伝送するための電力制御式において共通する。また、
【０３３３】
【化５３】
0005866124.tif 000078
【０３３４】
に代えて
【０３３５】
【化５４】
0005866124.tif 000079
【０３３６】
を用いて、同一の動作を行うこともできる。そのため、端末のプロセッサ２５５は、基地局から上位層シグナリングなどを通じて受信した周期的ＳＲＳ伝送のための電力オフセット値と非周期的ＳＲＳ伝送のための電力オフセット値に基づいて、該当のモードに応じてＳＲＳオフセット値を適用し、周期的ＳＲＳ伝送のためのアップリンク伝送電力値、非周期的ＳＲＳ伝送電力値を計算することができる。
【０３３７】
本発明で提案するＳＲＳ伝送のためのさらに他の電力制御の数式は、下記の数学式２０のように示すことができる。
【０３３８】
【数２０】
0005866124.tif 000080
【０３３９】
この方式は、混合された（ｈｙｂｒｉｄ）方式であって、上記の数学式１７で説明した第一の方式と上記の数学式１９で説明した第三の方式との組み合わせであり、端末は、周期的ＳＲＳ伝送のための電力と非周期的ＳＲＳ伝送のための電力を異なるように設定することができる。例えば、上記の数学式１９を用いて非周期的ＳＲＳ伝送電力に対する電力オフセットを設定した後に、上記の数学式１７の電力オフセットをさらに適用することでオフセット値選択の範囲を増大させることができる。他の実施例として、上記の数学式１９により設定される非周期的ＳＲＳの伝送電力オフセットは、正確でない（ｃｏａｒｓｅ）値にし、数学式１７により適用される電力オフセットは、相対的に正確な（ｆｉｎｅ）値にすることで、既存の方式に比べてより精密な電力制御が可能になる。これと同じ効果及び結果は、上記の数学式１８を用いる方式と上記の数学式１９を用いる方式との組み合わせによっても得られる。
【０３４０】
以上で説明された実施例は、本発明の構成要素及び特徴を所定の形態に結合したものである。各構成要素または特徴は、別の明示的な言及がない限り、選択的なものとして考慮すればよい。各構成要素または特徴は、他の構成要素や特徴と結合しない形態で実施してもよい。また、一部の構成要素及び／または特徴を結合して本発明の実施例を構成してもよい。本発明の実施例で説明される動作の順序は変更可能である。ある実施例の一部構成や特徴は、他の実施例に含まれてもよく、他の実施例の対応する構成または特徴に代わってもよい。特許請求の範囲で明示的な引用関係を有しない請求項を結合して実施例を構成したり、出願後の補正により新しい請求項として含めることもできることは明らかである。
【０３４１】
本発明は本発明の精神及び必須特徴から逸脱しない範囲で他の特定の形態に具体化できるということは当業者には自明である。そのため、上記の詳細な説明はいずれの面においても制約的に解釈されてはならず、例示的なものとして考慮されなければならない。本発明の範囲は、添付した請求項の合理的解釈により決定すべきものであり、本発明の等価的範囲内における変更はいずれも本発明の範囲に含まれる。
【産業上の利用可能性】
【０３４２】
端末が非周期的（ａｐｅｒｉｏｄｉｃ）サウンディング参照信号（Ｓｏｕｎｄｉｎｇ  Ｒｅｆｅｒｅｎｃｅ  Ｓｉｇｎａｌ、ＳＲＳ）トリガリングに基づいてＳＲＳを伝送する方法と非周期的ＳＲＳを伝送するためのアップリンク伝送電力を制御する方法は、３ＧＰＰ  ＬＴＥ、ＬＴＥ−Ａシステムなどの様々な無線通信システムでも産業的に適用可能である。
【図５】
0005866124.tif 000081
【図６】
0005866124.tif 000082
【図１】
0005866124.tif 000083
【図２】
0005866124.tif 000084
【図３】
0005866124.tif 000085
【図４】
0005866124.tif 000086
【図７】
0005866124.tif 000087
【図８】
0005866124.tif 000088
【図９Ａ】
0005866124.tif 000089
【図９Ｂ】
0005866124.tif 000090
【図１０Ａ】
0005866124.tif 000091
【図１０Ｂ】
0005866124.tif 000092
【図１０Ｃ】
0005866124.tif 000093
【図１１】
0005866124.tif 000094
【図１２Ａ】
0005866124.tif 000095
【図１２Ｂ】
0005866124.tif 000096
【図１３】
0005866124.tif 000097
【図１４Ａ】
0005866124.tif 000098
【図１４Ｂ】
0005866124.tif 000099
【図１５Ａ】
0005866124.tif 000100
【図１５Ｂ】
0005866124.tif 000101
【図１５Ｃ】
0005866124.tif 000102
【図１６】
0005866124.tif 000103
【図１７Ａ】
0005866124.tif 000104
【図１７Ｂ】
0005866124.tif 000105
【図１７Ｃ】
0005866124.tif 000106
【図１８】
0005866124.tif 000107
【図１９Ａ】
0005866124.tif 000108
【図１９Ｂ】
0005866124.tif 000109
【図２０】
0005866124.tif 000110
【図２１Ａ】
0005866124.tif 000111
【図２１Ｂ】
0005866124.tif 000112